(57)【要約】【課題】畝に土塊が多いときでもマルチフィルムが破れ難い移植機を提供する。【解決手段】外周面が畝の斜面に接触して機体１を案内する畝案内ローラー２５０と、軸心が機体の左右方向に傾斜して設けられた、畝案内ローラーの第一回動軸２５１と、機体１に連結された第二回動軸２６０と、一端が第一回動軸に連結され、他端が前記第二回動軸２６０に連結された支持部材２５７とを備える。支持部材は、第二回動軸の軸心を中心として回動可能であり、第一回動軸２５１の軸心と第二回動軸２６０の軸心とは、同じ方向に傾斜している。【選択図】図３
2014079182.tif 000002
【特許請求の範囲】
【請求項１】
外周面が畝の斜面に接触して機体（１）を案内する畝案内ローラー（２５０）と、
軸心が前記機体（１）の左右方向に傾斜して設けられた、前記畝案内ローラーの第一回動軸（２５１）と、
前記機体（１）に連結された第二回動軸（２６０）と、
一端が、前記第一回動軸（２５１）に連結され、他端が前記第二回動軸（２６０）に連結された支持部材（２５７）とを備え、
前記支持部材（２５７）は、前記第二回動軸（２６０）の軸心を中心として回動可能であり、
前記第一回動軸（２５１）の軸心と前記第二回動軸（２６０）の軸心とは、同じ方向に傾斜していることを特徴とする、移植機。
【請求項２】
前記機体（１）の左右方向を基準とした、前記第一回動軸（２５１）の軸心の傾斜角度を調節する調節機構（２５３、２５５）を備え、
前記第一回動軸（２５１）の軸心の傾斜角度は、前記調節機構（２５３、２５５）によって、前記第二回動軸（２６０）の軸心の傾斜角度よりも大きく、又、小さくもできることを特徴とする、請求項１に記載の移植機。
【請求項３】
前記支持部材（２５７）の回動可能な範囲を規制する規制具（２６４）を備えたことを特徴とする、請求項１又は２に記載の移植機。
【請求項４】
前記支持部材（２５７）に作用して前記畝案内ローラー（２５０）を畝側に付勢するスプリング（２６１）を備え、
前記スプリング（２６１）は、前記規制具（２６４）によって規制される前記支持部材（２５７）の回動可能な範囲では死点越えしないことを特徴とする、請求項３に記載の移植機。
【請求項５】
前記スプリング（２６１）は、引張式のスプリングであり、一端が前記支持部材（２５７）に係止されており、
前記スプリング（２６１）の一端が係止される係止部（２５９）は、前後方向に伸びる前記支持部材（２５７）に複数配列して設けられていることを特徴とする、請求項４に記載の移植機。
【請求項６】
前記機体（１）に連結する、左右方向に伸びる畝案内機構取付部材（２６６）と、
前記畝案内機構取付部材（２６６）に摺動可能に連結された摺動取付部（２６２）とを備え、
前記第二回動軸（２６０）は、ブラケット（２６３）を介して前記摺動取付部（２６２）に固定され、
前記スプリング（２６１）の他端は、前記摺動取付部（２６２）に連結されていることを特徴とする、請求項４に記載の移植機。
【請求項７】
前記畝案内ローラー（２５０）、前記第一回動軸（２５１）、前記支持部材（２５７）、前記第二回動軸（２６０）、前記ブラケット（２６３）及び前記摺動取付部（２６２）は、畝の左右の斜面のそれぞれに対応して設けられており、
前記左右の斜面のそれぞれに対応する前記畝案内ローラー（２５０）、前記第一回動軸（２５１）、前記支持部材（２５７）、前記第二回動軸（２６０）、前記ブラケット（２６３）及び前記摺動取付部（２６２）は、１つの前記畝案内機構取付部材（２６６）によって支持されており、
前記畝案内機構取付部材（２６６）は、所定の角度範囲で回転可能で、前記畝案内機構取付部材（２６６）の回転に伴って、前記左右の斜面のそれぞれに対応する前記畝案内ローラー（２５０）は同時に上下動することを特徴とする、請求項６に記載の移植機。
【請求項８】
前記機体（１）には、前後方向に伸びる機体中心軸（１８）が連結され、
前記機体中心軸（１８）を中心に左右端が逆方向に上下動する、前記機体（１）の左右方向に伸びたローリング部材（４１）が、前記機体中心軸（１８）に連結され、
前記ローリング部材（４１）は、前記機体中心軸（１８）に連結するローリングシャフト（２６８）と、前記ローリングシャフト（２６８）に、左右方向に移動可能に連結され、端部が左右の車輪（１３）に連結した左右のローリング移動部（２６９）とを有し、
前記畝案内機構取付部材（２６６）は、左右の取付アーム（２７２、２６７）を介して前記ローリングシャフト（２６８）に連結されていることを特徴とする、請求項７に記載の移植機。
【請求項９】
前記支持部材（２５７）と前記第一回動軸（２５１）との間に、前記第一回動軸（２５１）の上下方向の位置を調節する上下調節機構（２５４、２５６）を備えたことを特徴とする、請求項１〜８の何れかに記載の移植機。
【請求項１０】
畝に移植対象物を植え付ける植付具（２８）と、
前記植付具（２８）の植付位置の左右側方のマルチフィルムを押さえる複数の押さえ部材（１１９）を有する押さえ具（１１０）とを備えたことを特徴とする、請求項１〜９の何れかに記載の移植機。
【請求項１１】
前記押さえ部材（１１９）は、前記機体（１０）の前後方向に伸びる２本の棒状部材であり、後端が上方かつ左右方向内側に向いていることを特徴とする、請求項１０に記載の移植機。
【請求項１２】
前記機体（１）を昇降させる昇降装置（２３）と、
前記昇降装置（２３）の昇降作動を切り替える昇降切替部（２４）と、
前記昇降切替部（２４）に連結された中間連結部（５５、５６、５７）と、
畝面に接地し前記畝面の高低変化に対応して、側面視で同じ位置に設けられた接地体回動軸（５２、６１）を中心に個別に上下に回動する左右の接地体（３６、３７）と、
前記接地体回動軸（５２、６１）よりも上の位置で、前記左右の接地体（３６、３７）を連結し、前記左右の接地体（３６、３７）の上下動に応じて位置が変化する天秤（５０）と、
前記天秤（５０）の前記左右の接地体（３６、３７）とのそれぞれの連結部分の中央位置で前記天秤（５０）に一部が連結され、前記接地体回動軸（６１）よりも上の位置で他の部分が前記中間連結部（５５）に連結し、前記接地体回動軸（６１）の周りに回動する連動アーム（５１）と、
前記接地体回動軸（５２、６１）を上下移動して植付深さを変更する植付深さ調節アーム（５３）と、
前記押さえ具（１１０）の上下動する範囲の上限の位置を規制する上動ストッパー（７３）とを備え、
前記押さえ具（１１０）は、前記押さえ部材（１１９）と、前記押さえ部材（１１９）の前端が共通に固定された上下回動アーム（１１１）と、前記上下回動アーム（１１１）の上に取り付けられ、前記押さえ具（１１０）の上下動する範囲の下限の位置を規制する下限位置調節部材（１１２、１２１）とで構成されており、
前記上下回動アーム（１１１）は、平面視で、前記左右の接地体（３６、３７）の間に位置し、
前記押さえ部材（１１９）は、平面視で、前記左右の接地体（３６、３７）の後方で、前記植付具（２８）の左右に配置され、
前記上動ストッパー（７３）は、前記植付深さ調節アーム（５３）の回動中心となる軸を兼用していることを特徴とする、請求項１１に記載の移植機。
【発明の詳細な説明】
【技術分野】
【０００１】
本発明は、玉葱やレタス、たばこ等の苗や種芋等を圃場に移植する移植機に関する。
【背景技術】
【０００２】
畝を跨いで設けた左右一対の車輪を機体の前部に設けると共に、機体の後部に操舵用ハンドルを設け、操縦者が歩行で機体の進行に追従しながらハンドル操作を行う歩行型の苗移植機が知られている。
【０００３】
上記苗移植機では機体の進行方向の左右に一対の走行車輪を設け、該一対の走行車輪の前方には畝傾斜面に接触する畝案内ローラーを設けた構成を有する移植機がある。畝傾斜面に接触する畝案内ローラーは、畝の方向が曲がっている時でも、走行車輪を畝の方向に誘導する役目をする機能を有する。
【０００４】
畝の幅が変化すると、畝の谷間を走行する一対の走行車輪の幅を変更するとともに、一対の畝案内ローラーの幅も畝の幅に合わせて変更する必要がある。一対の走行車輪の幅を変更する際の、一対の畝案内ローラーの幅の変更し忘れを防止する苗移植機が提案されている（例えば、特許文献１参照）。
【０００５】
図４１に、特許文献１で提案されている苗移植機の苗案内ローラー付近の斜視図を示す。
【０００６】
畝案内ローラー３３５は、畝案内ローラー３３５の周面が畝の法面に接触する構成で、斜めに、左右一対取り付けられ、苗の移植作業を行うに際しては、前輪３１３が苗の植付けを行う畝を跨ぐ構成とし、畝案内ローラー３３５を畝の両側法面に沿わせる。そして、後輪を回転させて機体を進行させる。
【０００７】
畝が曲がっていると、前輪３１３より内側で回動する畝案内ローラー３３５が畝の法面に押されることにより機体の進行方向が変更される。この動作により機体が畝に追従して進行する。
【０００８】
左右の畝案内ローラー３３５が、それぞれ左右の畝案内ローラー支持アーム３３６の先端に断面「コ」字状のローラー回転軸支持部材３３７を介して回転自在に取り付けられている。畝案内ローラー支持アーム３３６は、基部側の第２アウターアーム３３６ａと先端側の第２インナーアーム３３６ｂからできており、第２アウターアーム３３６ａと第２インナーアーム３３６ｂは、セットボルト３３８で取り付け角度を変えて固定できるので、畝の傾斜面の法線に畝案内ローラー３３５のローラー面を接触させることができる。
【０００９】
前輪支持アーム３１７を構成する第１アウターアーム３１７ｂと第１インナーアーム３１７ｃとは、前後方向のピン３１７ｄにより互いに左右にスライドしない構成で取り付けられている。
【００１０】
そして、ピン３１７ｄが挿入される穴（図示せず）を第１インナーアーム３１７ｃに複数個左右に配列しており、ピン３１７ｄが挿入される穴を選択して、左右の前輪３１３のトレッドを決定する構成となっている。
【００１１】
又、前輪支持アーム３１７の第１インナーアーム３１７ｃには、第１アウターアーム３１７ｂより前輪支持ロッド３１８側に畝案内ローラー支持アーム３３６の第２アウターアーム３３６ａの基部が外挿されており、該第２アウターアーム３３６ａの基部は、第１インナーアーム３１７ｃにセットボルト３３８で取り付け角度を変えて固定できる。
【００１２】
従って、畝の幅に合わせて前輪支持アーム３１７の第１アウターアーム３１７ｂと両端側の第１インナーアーム３１７ｃをセットするときに畝案内ローラー３３５も同時に移動するので、前輪支持アーム３１７の畝幅に対する調整を忘れることがない。
【００１３】
上記の通り、図４１に示す簡単な畝案内ローラー３３５の取り付け構造により、畝の大きさに合わせて自在に畝案内ローラー３３５の取り付け位置を調節できる。
【先行技術文献】
【特許文献】
【００１４】
【特許文献１】特開２００２−３４３１０号公報
【発明の概要】
【発明が解決しようとする課題】
【００１５】
しかしながら、上記した従来の苗移植機では、畝に土塊が多いときには、マルチフィルムが破れ易いという問題があった。
【００１６】
図４１に示した従来の苗移植機では、畝の斜面の角度に合わせて苗案内ローラー３３５の周面が畝の法面に接触する構成で、一対の苗案内ローラー３３５の左右方向の傾斜角度が固定されて使用される。
【００１７】
一対の苗案内ローラー３３５の左右方向の傾斜角度が固定されているので、畝上に硬い土塊があったときには、苗案内ローラー３３５の周面と小さな土塊との間に部分的に強い圧力が加わり、その部分のマルチフィルムが破れてしまう。
【００１８】
したがって、上記の従来の苗移植機の構成では、畝に土塊が多いとマルチフィルムが破れ易い。
【００１９】
本発明は、上記した従来の苗移植機の課題を考慮して、畝に土塊が多いときでもマルチフィルムが破れ難い移植機を提供することを目的とする。
【課題を解決するための手段】
【００２０】
本発明の上記課題は、次の解決手段で解決される。
【００２１】
第１の本発明は、
外周面が畝の斜面に接触して機体（１）を案内する畝案内ローラー（２５０）と、
軸心が前記機体（１）の左右方向に傾斜して設けられた、前記畝案内ローラーの第一回動軸（２５１）と、
前記機体（１）に連結された第二回動軸（２６０）と、
一端が、前記第一回動軸（２５１）に連結され、他端が前記第二回動軸（２６０）に連結された支持部材（２５７）とを備え、
前記支持部材（２５７）は、前記第二回動軸（２６０）の軸心を中心として回動可能であり、
前記第一回動軸（２５１）の軸心と前記第二回動軸（２６０）の軸心とは、同じ方向に傾斜していることを特徴とする、移植機である。
【００２２】
又、第２の本発明は、
前記機体（１）の左右方向を基準とした、前記第一回動軸（２５１）の軸心の傾斜角度を調節する調節機構（２５３、２５５）を備え、
前記第一回動軸（２５１）の軸心の傾斜角度は、前記調節機構（２５３、２５５）によって、前記第二回動軸（２６０）の軸心の傾斜角度よりも大きく、又、小さくもできることを特徴とする、第１の本発明の移植機である。
【００２３】
又、第３の本発明は、
前記支持部材（２５７）の回動可能な範囲を規制する規制具（２６４）を備えたことを特徴とする、第１又は第２の本発明の移植機である。
【００２４】
又、第４の本発明は、
前記支持部材（２５７）に作用して前記畝案内ローラー（２５０）を畝側に付勢するスプリング（２６１）を備え、
前記スプリング（２６１）は、前記規制具（２６４）によって規制される前記支持部材（２５７）の回動可能な範囲では死点越えしないことを特徴とする、第３の本発明の移植機である。
【００２５】
又、第５の本発明は、
前記スプリング（２６１）は、引張式のスプリングであり、一端が前記支持部材（２５７）に係止されており、
前記スプリング（２６１）の一端が係止される係止部（２５９）は、前後方向に伸びる前記支持部材（２５７）に複数配列して設けられていることを特徴とする、第４の本発明の移植機である。
【００２６】
又、第６の本発明は、
前記機体（１）に連結する、左右方向に伸びる畝案内機構取付部材（２６６）と、
前記畝案内機構取付部材（２６６）に摺動可能に連結された摺動取付部（２６２）とを備え、
前記第二回動軸（２６０）は、ブラケット（２６３）を介して前記摺動取付部（２６２）に固定され、
前記スプリング（２６１）の他端は、前記摺動取付部（２６２）に連結されていることを特徴とする、第４の本発明の移植機である。
【００２７】
又、第７の本発明は、
前記畝案内ローラー（２５０）、前記第一回動軸（２５１）、前記支持部材（２５７）、前記第二回動軸（２６０）、前記ブラケット（２６３）及び前記摺動取付部（２６２）は、畝の左右の斜面のそれぞれに対応して設けられており、
前記左右の斜面のそれぞれに対応する前記畝案内ローラー（２５０）、前記第一回動軸（２５１）、前記支持部材（２５７）、前記第二回動軸（２６０）、前記ブラケット（２６３）及び前記摺動取付部（２６２）は、１つの前記畝案内機構取付部材（２６６）によって支持されており、
前記畝案内機構取付部材（２６６）は、所定の角度範囲で回転可能で、前記畝案内機構取付部材（２６６）の回転に伴って、前記左右の斜面のそれぞれに対応する前記畝案内ローラー（２５０）は同時に上下動することを特徴とする、第６の本発明の移植機である。
【００２８】
又、第８の本発明は、
前記機体（１）には、前後方向に伸びる機体中心軸（１８）が連結され、
前記機体中心軸（１８）を中心に左右端が逆方向に上下動する、前記機体（１）の左右方向に伸びたローリング部材（４１）が、前記機体中心軸（１８）に連結され、
前記ローリング部材（４１）は、前記機体中心軸（１８）に連結するローリングシャフト（２６８）と、前記ローリングシャフト（２６８）に、左右方向に移動可能に連結され、端部が左右の車輪（１３）に連結した左右のローリング移動部（２６９）とを有し、
前記畝案内機構取付部材（２６６）は、左右の取付アーム（２７２、２６７）を介して前記ローリングシャフト（２６８）に連結されていることを特徴とする、第７の本発明の移植機である。
【００２９】
又、第９の本発明は、
前記支持部材（２５７）と前記第一回動軸（２５１）との間に、前記第一回動軸（２５１）の上下方向の位置を調節する上下調節機構（２５４、２５６）を備えたことを特徴とする、第１〜第８の何れかの本発明の移植機である。
【００３０】
又、第１０の本発明は、
畝に移植対象物を植え付ける植付具（２８）と、
前記植付具（２８）の植付位置の左右側方のマルチフィルムを押さえる複数の押さえ部材（１１９）を有する押さえ具（１１０）とを備えたことを特徴とする、第１〜第９の何れかの本発明の移植機である。
【００３１】
又、第１１の本発明は、
前記押さえ部材（１１９）は、前記機体（１０）の前後方向に伸びる２本の棒状部材であり、後端が上方かつ左右方向内側に向いていることを特徴とする、第１０の本発明の移植機である。
【００３２】
又、第１２の本発明は、
前記機体（１）を昇降させる昇降装置（２３）と、
前記昇降装置（２３）の昇降作動を切り替える昇降切替部（２４）と、
前記昇降切替部（２４）に連結された中間連結部（５５、５６、５７）と、
畝面に接地し前記畝面の高低変化に対応して、側面視で同じ位置に設けられた接地体回動軸（５２、６１）を中心に個別に上下に回動する左右の接地体（３６、３７）と、
前記接地体回動軸（５２、６１）よりも上の位置で、前記左右の接地体（３６、３７）を連結し、前記左右の接地体（３６、３７）の上下動に応じて位置が変化する天秤（５０）と、
前記天秤（５０）の前記左右の接地体（３６、３７）とのそれぞれの連結部分の中央位置で前記天秤（５０）に一部が連結され、前記接地体回動軸（６１）よりも上の位置で他の部分が前記中間連結部（５５）に連結し、前記接地体回動軸（６１）の周りに回動する連動アーム（５１）と、
前記接地体回動軸（５２、６１）を上下移動して植付深さを変更する植付深さ調節アーム（５３）と、
前記押さえ具（１１０）の上下動する範囲の上限の位置を規制する上動ストッパー（７３）とを備え、
前記押さえ具（１１０）は、前記押さえ部材（１１９）と、前記押さえ部材（１１９）の前端が共通に固定された上下回動アーム（１１１）と、前記上下回動アーム（１１１）の上に取り付けられ、前記押さえ具（１１０）の上下動する範囲の下限の位置を規制する下限位置調節部材（１１２、１２１）とで構成されており、
前記上下回動アーム（１１１）は、平面視で、前記左右の接地体（３６、３７）の間に位置し、
前記押さえ部材（１１９）は、平面視で、前記左右の接地体（３６、３７）の後方で、前記植付具（２８）の左右に配置され、
前記上動ストッパー（７３）は、前記植付深さ調節アーム（５３）の回動中心となる軸を兼用していることを特徴とする、第１１の本発明の移植機である。
【発明の効果】
【００３３】
第１の本発明によって、支持部材（２５７）の回動で、畝案内ローラー（２５０）が畝の斜面の法線方向に向かって上下するので、畝案内ローラー（２５０）が畝の斜面に適正に作用し、畝の斜面を崩すことを防止できる。
【００３４】
第２の本発明によって、畝案内ローラー（２５０）の傾斜角度を畝の斜面の傾斜に合わせて調節できる。第一回動軸（２５１）軸心の傾斜角度を調節しても、支持部材（２５７）の回動で畝案内ローラー（２５０）を適切に上下させることができる。
【００３５】
第３の本発明によって、規制具（２６４）により畝案内ローラー（２５０）が極端に移動することを規制できる。
【００３６】
第４の本発明によって、スプリング（２６１）を適正に作用させながら安定して畝案内が行える。
【００３７】
第５の本発明によって、簡単な構成で畝案内ローラー（２５０）の付勢力を調節することができ、状況に対応して適正な畝案内が行える。
【００３８】
第６の本発明によって、異なる畝幅に対応できる。
【００３９】
第７の本発明によって、旋回時や機体格納時等、左右の畝案内ローラー（２５０）を共に収納させることができる。
【００４０】
第８の本発明によって、畝案内ローラー（２５０）と車輪（１３）が連動して左右ローリングし、機体（１）の左右傾斜に対応して畝案内ローラー（２５０）と車輪（１３）を圃場に適切に追従させることができる。左右の畝案内ローラー（２５０）及び車輪（１３）の左右位置調節は独立するので、各々の調節が容易になる。
【００４１】
第９の本発明によって、異なる高さの畝に対応できる。又、畝高さの対応が容易である。
【００４２】
第１０の本発明によって、植え付け後の植付具（２８）の上昇でマルチフィルムがつれ上がることを防止できる。
【００４３】
第１１の本発明によって、押さえ具（１１０）の後端がマルチフィルムに引っかかりにくい。又、押さえ具（１１０）の後部は平面視で後側へいくほど植付具（２８）側に位置するので、マルチフィルムが破れることを防止できる。
【００４４】
第１２の本発明によって、左右の接地体（３６、３７）を低い位置に配置しながら、左右の接地体（３６、３７）からの連繋機構を簡潔な構造にでき、コンパクト化及びコストダウンが図れる。又、植付深さの調節が容易に行えるとともに、マルチフィルムが破れることを防止できる。又、左右の接地体（３６、３７）及び左右の押さえ部材（１１９）をコンパクトに配置でき、植付性能が向上する。又、上動ストッパー（７３）は、植付深さ調節アーム（５３）の回動中心となる軸と兼用し、構成の簡素化が図れる。
【図面の簡単な説明】
【００４５】
【図１】本発明の実施の形態のたばこ苗移植機の左側面図
【図２】本発明の実施の形態のたばこ苗移植機の平面図
【図３】本発明の実施の形態のたばこ苗移植機の畝案内機構部分の斜視図
【図４】本発明の実施の形態のたばこ苗移植機の畝案内機構部分の正面図
【図５】本発明の実施の形態のたばこ苗移植機の畝案内機構部分の平面図
【図６】本発明の実施の形態のたばこ苗移植機の畝案内機構部分の側面図
【図７】本発明の実施の形態の前輪支持ロッド連結部を示す図
【図８】本発明の実施の形態のたばこ苗移植機に設けられた固定予備苗台及び可動予備苗台の平面図
【図９】（ａ）本発明の実施の形態の苗供給部を下から見た底面図、（ｂ）本発明の実施の形態の苗供給部の一部透視上面図
【図１０】本発明の実施の形態の苗供給部の取り付け構造を説明する側断面図
【図１１】本発明の実施の形態の植付伝動ケースの側面図
【図１２】本発明の実施の形態の植付装置駆動ケースの側面図
【図１３】本発明の実施の形態の植付伝動ケースの断面展開平面図
【図１４】本発明の実施の形態の植付クラッチの拡大平面図
【図１５】本発明の実施の形態の植付クラッチの作用説明用拡大側面図
【図１６】本発明の実施の形態の植付クラッチの作用説明用拡大側面図
【図１７】本発明の実施の形態の他の構成の植付クラッチの拡大平面図
【図１８】本発明の実施の形態の他の構成の植付クラッチの作用説明用要部拡大平面図
【図１９】本発明の実施の形態の他の構成の株間変速及び副変速操作の作用の説明に使用する植付伝動ケースの要部断面展開平面図
【図２０】本発明の実施の形態の植付装置の左前方から見た斜視図
【図２１】本発明の実施の形態の植付装置の右後方から見た斜視図
【図２２】本発明の実施の形態の植付装置の側面図
【図２３】（ａ）〜（ｄ）本発明の実施の形態の、植付動作中の各位置における植付装置の側面図
【図２４】本発明の実施の形態の植付装置駆動ケースにおける各駆動軸の配置位置を説明する図
【図２５】本発明の実施の形態の、後方から見た植付具の先端部の移動軌跡を説明する図
【図２６】本発明の実施の形態の、後方から見た植付具の右側部材の先端部の軌跡を示したグラフ
【図２７】本発明の実施の形態の、植付動作中の植付具の、上下動速度、前後動速度及び絶対速度を示したグラフ
【図２８】（ａ）〜（ｃ）本発明の実施の形態の、植付動作中の植付具先端の静軌跡及び動軌跡を示したグラフ
【図２９】本発明の実施の形態のたばこ苗移植機の、機体の高さを制御する連繋機構部分の側面図
【図３０】（ａ）本発明の実施の形態の天秤連結ステーの側面図、（ｂ）本発明の実施の形態の天秤連結ステーの平面図
【図３１】（ａ）本発明の実施の形態の天秤の正面図、（ｂ）本発明の実施の形態の天秤の平面図
【図３２】（ａ）本発明の実施の形態の油圧ロッドの側面図、（ｂ）本発明の実施の形態の油圧ロッドの平面図
【図３３】（ａ）本発明の実施の形態の右側接地位置検出体の側面図、（ｂ）本発明の実施の形態の左側接地位置検出体の側面図
【図３４】本発明の実施の形態のたばこ苗移植機の、機体高さ制御の連繋機構の各部の接続関係の説明に使用する平面図
【図３５】本発明の実施の形態の押さえ具上下動機構部分の側面図
【図３６】（ａ）本発明の実施の形態の押さえ具の平面図、（ｂ）本発明の実施の形態の、押さえ具と接地位置検出体との位置関係を説明する平面図
【図３７】本発明の実施の形態のたばこ苗移植機の一変形例の、ローリング調節レバーの説明に使用する概略平面図
【図３８】（ａ）本発明の実施の形態のローリング調節レバー部分の概略平面図、（ｂ）本発明の実施の形態の左右傾斜用切替バルブ部分の概略平面図
【図３９】（ａ）本発明の実施の形態の接地スタンドの取り付け部分を示す側面図、（ｂ）本発明の実施の形態の接地スタンドの取り付け部分を示す平面図
【図４０】（ａ）本発明の実施の形態の接地スタンドの左側面図、（ｂ）本発明の実施の形態の接地スタンドの正面図
【図４１】従来の苗移植機の苗案内ローラー付近の斜視図
【発明を実施するための形態】
【００４６】
以下、図面に基づき、本発明の好ましい実施の形態について説明する。
【００４７】
（実施の形態）
先ず、図１、図２を用いて、本実施の形態のたばこ苗移植機の構成及び動作について説明する。
【００４８】
図１は、本発明の実施の形態の移植機の一例としてたばこの苗を移植するたばこ苗移植機１０を示す側面図であり、図２は、たばこ苗移植機１０の平面図である。図２では、可動予備苗台を収納した状態を二点鎖線で示した。
【００４９】
尚、以下の説明では、たばこ苗移植機１０の前部とは、エンジン１１を配置した側のことであり、又、後部とは、操縦ハンドル１６を配置した側のことであるものとする。又、操縦ハンドル１６側からエンジン１１側を見た作業者の右手側をたばこ苗移植機１０の右側とし、左手側を左側とする。
【００５０】
図１、図２に示す通り、本実施の形態のたばこ苗移植機１０は、機体を前進走行可能とする走行車体１と、走行車体１の後部に設けられた歩行操縦用の操縦ハンドル１６と、走行車体１の後部であって操縦ハンドル１６の前側に設けられた、圃場にたばこ苗を植え付ける植付装置１９と、植付装置１９の上方に設けられ、植付装置１９にたばこ苗を供給する苗供給部３１とを備えている。
【００５１】
又、苗供給部３１の前側であって、走行車体１の左右両側には、たばこ苗を載置する左右一対の長方形状の固定予備苗台３００Ｌ、３００Ｒ（図２では、二点鎖線で示した）が固定配置されている。
【００５２】
又、不使用時には、左右一対の固定予備苗台３００Ｌ、３００Ｒの下方に、平面視で固定予備苗台３００Ｌ、３００Ｒの長手方向に沿って収納可能であり、かつ、使用時には、左右一対の固定予備苗台３００Ｌ、３００Ｒと平面視で重複しない位置に配置可能に構成された、たばこ苗を載置する左右一対の長方形状の可動予備苗台３５０Ｌ、３５０Ｒ（図２では、二点鎖線で示した）が回動可能に配置されている。
【００５３】
又、本実施の形態のたばこ苗移植機１０は、左右前輪１３及び左右後輪１４が跨いで走行する畝Ｕに植付具２８にて苗株を植え付けて苗移植作業を行うが、畝案内機構１６０が機体の前部に設けられており、畝Ｕの左右の斜面にそれぞれ左右の畝案内ローラー２５０が接触して、機体が畝Ｕに沿って走行する構成で案内する。
【００５４】
図３に、走行車体１の前方側から見た、畝案内機構１６０部分の斜視図を示す。
【００５５】
又、図４に畝案内機構１６０部分の正面図を、図５に畝案内機構１６０部分の平面図を、図６に畝案内機構１６０部分の側面図をそれぞれ示す。
【００５６】
左右の畝案内ローラー２５０は、機体前部の左右両側に各々設けられているが、左右の畝案内ローラー２５０の支持構造は同様の構成である。
【００５７】
一端が走行車体１の前部に回動自在に連結した畝案内ローラー支持アーム２５７の他端に案内ローラー支持ロッド２５４が連結し、案内ローラー支持ロッド２５４の下端に、畝案内ローラー２５０を支持するローラー回転軸支持部材２５２が固定支持されている。
【００５８】
畝案内ローラー２５０は、ローラー回転軸支持部材２５２の畝案内ローラー回転軸２５１によって支持されており、畝案内ローラー回転軸２５１を中心に回転自在に支持されている。円筒形状の畝案内ローラー２５０の周面が畝Ｕの左右一方側の斜面に接触しながら走行車体１が走行することにより、畝案内ローラー２５０は回転する。
【００５９】
畝案内ローラー支持アーム２５７の一端には、円筒形状の支持アーム回動軸２６０が設けられており、支持アーム回動軸２６０の両端が、畝案内機構摺動取付部２６２に設けられたアーム支持ブラケット２６３によって回動自在に支持されている。この構成により、畝案内ローラー支持アーム２５７は、支持アーム回動軸２６０の軸心を中心として回動する。
【００６０】
尚、走行車体１が、本発明の機体の一例にあたる。又、畝案内ローラー支持アーム２５７が、本発明の支持部材の一例にあたる。又、畝案内ローラー回転軸２５１が、本発明の第一回動軸の一例にあたる。又、支持アーム回動軸２６０が、本発明の第二回動軸の一例にあたる。又、畝案内機構摺動取付部２６２が、本発明の摺動取付部の一例にあたる。又、アーム支持ブラケット２６３が、本発明のブラケットの一例にあたる。
【００６１】
一方、両端部に左右の前輪１３が連結する前輪支持フレーム４１の中央部が、走行車体１の前後方向に伸びるローリング軸１８に連結しており、ローリング軸１８を中心として、左右の前輪１３が逆方向に上下動する構成となっている。
【００６２】
前輪支持フレーム４１は、ローリング軸１８に連結するローリングシャフト２６８と、ローリングシャフト２６８の左右両側に設けられ、それぞれの端部に左右の前輪１３が連結する左右の前輪支持シャフト２６９で構成される。
【００６３】
下端部に前輪１３が連結した前輪支持ロッド２７１が、前輪支持シャフト２６９の一端に連結している。
【００６４】
前輪支持シャフト２６９の他端は、筒状のローリングシャフト２６８の内部に挿入される構造であり、前輪支持シャフト２６９がローリングシャフト２６８の内部を長手方向に摺動可能な構成となっている。ローリングシャフト２６８を基準とした左右の前輪支持シャフト２６９の左右方向の位置は、車幅調節ネジ２７０によって固定される。
【００６５】
車幅調節ネジ２７０で固定する位置を変更することにより、左右の前輪１３間の距離を自由に調節することができる。すなわち、たばこ苗移植機１０の車幅を自在に調節することができる。
【００６６】
尚、ローリング軸１８が、本発明の機体中心軸の一例にあたり、前輪１３が、本発明の車輪の一例にあたる。又、前輪支持フレーム４１が、本発明のローリング部材の一例にあたる。又、前輪支持シャフト２６９が、本発明のローリング移動部の一例にあたる。
【００６７】
ローリングシャフト２６８の左右のそれぞれの端部に、取付棒左支持アーム２７２及び取付棒右支持アーム２６７が取り付けられており、取付棒左支持アーム２７２及び取付棒右支持アーム２６７がそれぞれ畝案内機構取付棒２６６の両端に連結して、畝案内機構取付棒２６６を支持している。
【００６８】
この構成により、畝案内機構取付棒２６６は、ローリングシャフト２６８と平行に支持され、ローリング軸１８を中心としてローリングシャフト２６８の両端部が上下動すると、ローリングシャフト２６８との相対的な位置関係を維持しながら畝案内機構取付棒２６６の両端部も上下動する。
【００６９】
尚、畝案内機構取付棒２６６が、本発明の畝案内機構取付部材の一例にあたる。又、取付棒左支持アーム２７２が、本発明の左の取付アームの一例にあたり、取付棒右支持アーム２６７が、本発明の右の取付アームの一例にあたる。
【００７０】
前述した左右の畝案内機構摺動取付部２６２は、いずれも畝案内機構取付棒２６６に外挿される構成で、畝案内機構取付棒２６６の長手方向に沿って摺動可能に取り付けられている。畝案内機構固定ネジ２６５を締め付けることによって、畝案内機構取付棒２６６上における左右の畝案内機構摺動取付部２６２の、それぞれの左右方向の位置が固定される。
【００７１】
この構成により、走行車体１を基準にして、左右の畝案内機構摺動取付部２６２の左右方向の位置を、それぞれ独立して調節することができる。したがって、異なる畝幅に対応することができる。
【００７２】
畝案内機構取付棒２６６は、断面が六角形状であり、畝案内機構摺動取付部２６２が畝案内機構取付棒２６６に外挿される部分の内面形状も六角形状としているので、畝案内機構摺動取付部２６２は、畝案内機構取付棒２６６の回転とともに上下方向に回動する。
【００７３】
図６に示す通り、畝案内機構取付棒２６６の左端部には収納回動プレート部２７４が固定されている。収納回動プレート部２７４には収納回動ピン２７５が立設しており、収納回動ピン２７５は、取付棒左支持アーム２７２に設けられた収納回動用孔２７３に挿入されている。
【００７４】
収納回動ピン２７５は、長孔形状に形成された収納回動用孔２７３によって規制される範囲で移動可能であり、この構成により、畝案内機構取付棒２６６の回転する範囲が、収納回動ピン２７５及び収納回動用孔２７３によって所定の角度範囲に規制される。
【００７５】
畝案内機構取付棒２６６を回転させることにより、畝案内機構１６０を上方に上げることができる。左右の畝案内ローラー２５０は、いずれも畝案内機構取付棒２６６に支持されているので、畝案内機構取付棒２６６を回転させることで、左右の畝案内ローラー２５０を同時に上方に上げることができる。
【００７６】
この構成により、機体の旋回時や格納時等に、畝案内機構１６０を上方に上げて収納することができる。
【００７７】
左右の支持アーム回動軸２６０は、いずれの軸心も、走行車体１の左右外側に向かって下がる向きに傾斜している。又、左右の畝案内ローラー回転軸２５１のそれぞれの軸心も、走行車体１の左右外側に向かって下がる向きに傾斜している。すなわち、走行車体１の左右方向について、左側の支持アーム回動軸２６０の軸心は、左側の畝案内ローラー回転軸２５１の軸心と同じ側に傾斜しており、右側の支持アーム回動軸２６０の軸心は、右側の畝案内ローラー回転軸２５１の軸心と同じ側に傾斜している。
【００７８】
したがって、畝案内ローラー支持アーム２５７は、支持アーム回動軸２６０の軸心を中心として回動し、畝案内ローラー支持アーム２５７に支持されている畝案内ローラー２５０も同じ向きへ回動する。すなわち、畝案内ローラー２５０は、畝Ｕの斜面の法線方向へ上下動する。
【００７９】
左右の畝案内ローラー２５０は、それぞれ左右の支持アーム回動軸２６０に連結する左右の畝案内ローラー支持アーム２５７に支持されているので、畝Ｕの左右の斜面に対応して、それぞれ独立して畝Ｕの斜面の法線方向へ上下動する。左右の畝案内ローラー２５０が、独立して畝Ｕの斜面の法線方向に上下動するので、畝案内ローラー２５０が畝Ｕの斜面に適正に作用し、畝Ｕの斜面を崩すことを防止できる。
【００８０】
畝案内ローラー２５０を支持するローラー回転軸支持部材２５２は、傾斜調節ネジ２５３によって案内ローラー支持ロッド２５４に固定されるが、案内ローラー支持ロッド２５４の下端部に設けられた、傾斜調節ネジ２５３が挿入される傾斜調節孔２５５は長孔であり、傾斜調節ネジ２５３及び傾斜調節孔２５５によって、畝案内ローラー回転軸２５１の傾斜角度を調節することができる。
【００８１】
傾斜調節ネジ２５３及び傾斜調節孔２５５によって、畝案内ローラー回転軸２５１の軸心の傾斜角度を、走行車体１の左右方向について、支持アーム回動軸２６０の軸心の傾斜角度よりも大きく調節でき、又支持アーム回動軸２６０の軸心の傾斜角度よりも小さくも調節できる構成としている。
【００８２】
この構成により、畝Ｕの斜面の傾斜に合わせて畝案内ローラー回転軸２５１の軸心の傾斜角度を調節できるので、畝案内ローラー支持アーム２５７の回動によって畝案内ローラー２５０を適切な向きに上下動させることができる。
【００８３】
尚、傾斜調節ネジ２５３及び傾斜調節孔２５５が、本発明の、傾斜角度を調節する調節機構の一例にあたる。
【００８４】
又、畝案内ローラー支持アーム２５７には、長手方向に沿って回動規制プレート部２５８が立設している。
【００８５】
そして、引張式の支持アーム付勢スプリング２６１の両端が、それぞれ畝案内機構摺動取付部２６２及び回動規制プレート部２５８に係止されており、畝案内ローラー支持アーム２５７を畝Ｕ側へ付勢している。
【００８６】
回動規制プレート部２５８には、スプリング係止孔２５９が、畝案内ローラー支持アーム２５７の長手方向に沿って複数配列して設けられており、支持アーム付勢スプリング２６１の一端は、それらの複数のスプリング係止孔２５９のうちの一つのスプリング係止孔２５９に係止されている。
【００８７】
支持アーム付勢スプリング２６１の一端を係止するスプリング係止孔２５９の位置を変更することにより、畝案内ローラー支持アーム２５７の畝Ｕ側への付勢力を調節することができ、状況に対応して適正な畝案内が行える。
【００８８】
尚、支持アーム付勢スプリング２６１が、本発明のスプリングの一例にあたり、スプリング係止孔２５９が、本発明の係止部の一例にあたる。
【００８９】
又、畝案内機構摺動取付部２６２の、回動規制プレート部２５８と接触する位置には、Ｕ字状の切り欠き部分である回動規制部２６４が設けられている。
【００９０】
回動規制プレート部２５８の移動が、回動規制部２６４によって規制されることにより、支持アーム回動軸２６０の軸心を中心とした畝案内ローラー支持アーム２５７の回動範囲が規制される。
【００９１】
回動規制部２６４によって、畝案内ローラー支持アーム２５７の回動できる範囲を、支持アーム付勢スプリング２６１が死点越えしない範囲に規制している。
【００９２】
回動規制部２６４により、畝案内ローラー２５０が極端に移動することを規制でき、支持アーム付勢スプリング２６１を適正に作用させながら安定して畝の案内が行える。
【００９３】
又、案内ローラー支持ロッド２５４には、ローラー高さ調節ネジ２５６に螺合するネジ孔が長手方向に複数配列して設けられている。ローラー高さ調節ネジ２５６を螺合させるネジ孔の位置を変更することにより、畝案内ローラー２５０の高さを調節することができる。この構成により、容易に異なる高さの畝に対応することができる。
【００９４】
尚、回動規制部２６４が、本発明の規制具の一例にあたる。又、ローラー高さ調節ネジ２５６及びそれに螺合する案内ローラー支持ロッド２５４に設けられたネジ孔が、本発明の上下調節機構の一例にあたる。
【００９５】
尚、左側の畝案内ローラー支持アーム２５７と左側の前輪支持ロッド２７１、右側の畝案内ローラー支持アーム２５７と右側の前輪支持ロッド２７１を、それぞれロッドで連結する構成としてもよい。
【００９６】
畝案内ローラー支持アーム２５７と前輪支持ロッド２７１を連結することにより、畝Ｕに沿った畝案内ローラー２５０による案内に伴って前輪支持ロッド２７１に連結する前輪１３の向きが変わるので、畝案内ローラー２５０の案内によって滑らかに機体の進行方向が変化する。
【００９７】
又、畝案内ローラー支持アーム２５７と前輪支持ロッド２７１を圧縮式のスプリングで連結する構成としてもよい。圧縮式のスプリングで連結することにより、ロッドで連結するよりも、前輪１３の向きをより滑らかに変化させることができる。
【００９８】
又、前輪支持シャフト２６９と前輪支持ロッド２７１との連結部分を、前輪支持ロッド２７１が自在に回転できる構成で連結する構成としてもよい。
【００９９】
図７に、前輪支持ロッド２７１が自在に回転できる構成とした、前輪支持シャフト２６９と前輪支持ロッド２７１との連結部分の図を示す。
【０１００】
図７では、前輪支持ロッド２７１の前輪高さ調節用のピンを上下から挟み込む構成の支持ロッド固定ボス２７６を用いて、前輪支持ロッド２７１が前輪支持シャフト２６９を支持する構成としている。
【０１０１】
この構成により、前輪支持ロッド２７１が回動自在に前輪支持シャフト２６９に支持されるので、畝案内ローラー２５０の案内に対応して、前輪１３の向きが滑らかに変化できる。
【０１０２】
又、上記では、畝案内機構１６０を走行車体１の前部に設ける構成としたが、側面視で、前輪１３の中に畝案内ローラー２５０が配置される構成としてもよい。左右の前輪１３の間に畝案内ローラー２５０を配置することで、障害物によって畝案内ローラー２５０が破損することを防止できる。
【０１０３】
又、上記では、固定された畝案内ローラー回転軸２５１を中心に畝案内ローラー２５０が回転する構成としたが、畝案内ローラー２５０と畝案内ローラー回転軸２５１が一体で回転する構成とし、畝案内ローラー回転軸２５１自体が回転する構成としてもよい。又、上記では、畝案内ローラー支持アーム２５７が支持アーム回動軸２６０と一定で回転する構成としたが、支持アーム回動軸２６０が畝案内機構摺動取付部２６２に固定されており、畝案内ローラー支持アーム２５７の支持アーム回動軸２６０との連結部を、例えば支持アーム回動軸２６０を内挿する形状として、固定された支持アーム回動軸２６０を中心として、畝案内ローラー支持アーム２５７が回動する構成としてもよい。
【０１０４】
次に、図１、図２及び図８を用いて、固定予備苗台３００Ｌ、３００Ｒ、及び可動予備苗台３５０Ｌ、３５０Ｒの構成を中心に説明する。
【０１０５】
図８に、本実施の形態のたばこ苗移植機１０に設けられた固定予備苗台及び可動予備苗台の平面図を示す。図８では、可動予備苗台を収納した状態を二点鎖線で示した。
【０１０６】
固定予備苗台３００Ｌと３００Ｒは、第１連結部材３０１と第２連結部材３０２によって互いに並行配置状態で連結され（図８参照）、第１連結部材３０１側が、前部支持部材３０３を介して走行車体１の上面に固定されている。又、第２連結部材３０２の後方近傍において、左右一対の固定予備苗台３００Ｌと３００Ｒの互いに対向する側壁部が、それぞれ後部支持部材３０４を介して走行車体１の上面であって、前部支持部材３０３の取り付け位置より後方に固定されている。又、左右一対の固定予備苗台３００Ｌ、３００Ｒは、走行車体１の前後方向において後下がりに傾斜している。
【０１０７】
又、図８に示す通り、走行車体１の上面の、後部支持部材３０４よりも後方であって、平面視で左右一対の固定予備苗台３００Ｌと３００Ｒの後端部側であって走行車体１の中央位置寄りの角部において、左右一対の円筒状可動支持部材３１０Ｌ、３１０Ｒが立設されている。そして、その円筒状可動支持部材３１０Ｌ、３１０Ｒの円筒状の孔部には、略Ｌ字状に曲げられた左右一対のパイプ状部材３１１Ｌ、３１１Ｒの短辺側が回動可能に挿入されており、それぞれの長辺側は、可動予備苗台３５０Ｌと３５０Ｒの底面側に取り付けられている。
【０１０８】
又、図８に示す通り、パイプ状部材３１１Ｌ、３１１Ｒの長辺側は、可動予備苗台３５０Ｌ、３５０Ｒのほぼ対角線上の位置に固定されており、可動予備苗台３５０Ｌと３５０Ｒは、図８において実線で表した状態（即ち、使用状態）においては、走行車体１の前後方向において後下がりに傾斜させるべく、パイプ状部材３１１Ｌ、３１１Ｒの曲げ角度は、９０度より小さい鋭角に設定されている。
【０１０９】
これにより、左右一対の可動予備苗台３５０Ｌ、３５０Ｒは、使用時には、走行車体１の前後方向において後下がりに傾斜しており、又、不使用時には、左右一対の円筒状可動支持部材３１０Ｌ、３１０Ｒを回動中心として、それぞれ矢印Ｂ、矢印Ｃの方向（図８参照）に手動で回動させることにより、左右一対の固定予備苗台３００Ｌ、３００Ｒの下方に収納され、その収納状態において、走行車体１の左右方向において外側に向けて下り勾配に傾斜している。
【０１１０】
以上の構成により、左右一対の固定予備苗台３００Ｌ、３００Ｒ、及び左右一対の可動予備苗台３５０Ｌ、３５０Ｒが、それぞれ走行車体１の前後方向において後下がりに傾斜しているので、作業者は、作業時において苗が見易いので苗を取りやすく、又、左右一対の可動予備苗台３５０Ｌ、３５０Ｒの位置が、左右一対の固定予備苗台３００Ｌ、３００Ｒの位置よりも低い位置に配置されているので、苗を取りやすい。又、左右一対の可動予備苗台３５０Ｌ、３５０Ｒが、左右一対の固定予備苗台３００Ｌ、３００Ｒの下方に重ねて収納出来て、平面視で後輪１４の外側に大きくはみ出ることが無いので、不使用時においてコンパクトに収納できる。
【０１１１】
ここで再び、図１、図２及び図８に戻り、施肥機の構成について説明する。
【０１１２】
図１、図２及び図８に示す通り、左右一対の固定予備苗台３００Ｌ、３００Ｒの後方で、苗供給部３１の前方で、且つ、使用時の位置にある左右一対の可動予備苗台３５０Ｌ、３５０Ｒで挟まれた位置に、左右一対の施肥機４００Ｌ、４００Ｒが設けられている。左右一対の施肥機４００Ｌ、４００Ｒには、それぞれ、圃場に供給する肥料を貯留する施肥ホッパー４１０Ｌ、４１０Ｒと、その下部に設けられ肥料を繰り出す肥料繰り出し部４２０Ｌ、４２０Ｒが設けられている。
【０１１３】
上述した通り、施肥ホッパー４１０Ｌ、４１０Ｒを左右の位置に分けて配置する構成としたことにより、下記の効果を発揮するものである。
【０１１４】
即ち、施肥ホッパーを一つにしたとき、その体積が大きくなるので作業者にとって前方視界の邪魔になるが、上記構成によれば、施肥ホッパー４１０Ｌ、４１０Ｒが左右に分離してそれぞれの間に前方を見通せる空間があるので前方視界の邪魔にならない。又、幅の広い施肥ホッパーは肥料が詰まりやすいが上記構成によれば肥料は詰まりにくい。又、肥料繰り出し部が一つしかない構成では、肥料の繰り出し時間が長くなり、点播が出来ないが、上記構成によれば、肥料繰り出し部４２０Ｌ、４２０Ｒが２つ設けられているので点播が出来る。又、上記構成により肥料を２箇所に播ける。
【０１１５】
又、図１に示す通り、左右一対の施肥機４００Ｌ、４００Ｒの内、左側の施肥機４００Ｌの下部に取り付けられた肥料繰り出し部４２０Ｌには、植付装置１９の前側に肥料を吐出する前ホース４３０Ｌが配置されており、又、左右一対の施肥機４００Ｌ、４００Ｒの内、右側の施肥機４００Ｒの下部に取り付けられた肥料繰り出し部４２０Ｒには、植付装置１９の後側に肥料を吐出する後ホース４３０Ｒが配置されている。これらの前ホース４３０Ｌ及び後ホース４３０Ｒの開口先端部を保持するホース保持部４３１が走行車体１の下部に配置されている。
【０１１６】
又、図１、図２に示す通り、走行車体１は、前部にエンジン１１及び主伝動ケース１２と、走行車輪としての左右一対の前輪１３及び後輪１４を備え、後部には、上述した通り、植付装置１９、苗供給部３１及び操縦ハンドル１６を備え、更に、鎮圧輪１５を備えている。
【０１１７】
このたばこ苗移植機１０は、走行車体１が圃場内の畝Ｕを跨ぐべく、前輪１３及び後輪１４が畝間を走行し、畝Ｕの上面の左右幅方向における中央位置に植付装置１９により苗株を植え付けていく構成となっている。
【０１１８】
又、図２に示す通り、主伝動ケース１２の左右端には該主伝動ケース１２を基準として回動可能な走行エクステンションケース４０を左右それぞれ設け、左右の走行エクステンションケース４０のそれぞれの端部に走行チェーンケース２０を取り付けている。したがって、エンジン１１から入力される主伝動ケース１２内の動力を走行チェーンケース２０内に伝達する構成となっている。
【０１１９】
走行チェーンケース２０の回動先端部の左右外側には、走行車輪である左右一対の後輪１４をそれぞれ取り付け、この左右一対の後輪１４の駆動により機体が走行する構成となっている。したがって、主伝動ケース１２は、走行車輪としての後輪１４に伝動する伝動装置となっている。
【０１２０】
又、図２に示す通り、主伝動ケース１２の後端には左右方向に延びる後フレーム２１を固着して設け、後フレーム２１の後端面の右端部には、機体の右寄りの位置で前後方向に延びる主フレーム２２を設けている。主フレーム２２の後端部には操縦ハンドル１６を設け、この操縦ハンドル１６が主フレーム２２及び後フレーム２１を介して主伝動ケース１２に支持された構成となっている。後フレーム２１の左右一方寄り（右寄り）の位置の上面には、植付伝動ケース２６の前下端部を載せて該植付伝動ケース２６を固着して設けている。
【０１２１】
又、主伝動ケース１２の後部で左右方向の中央には、油圧昇降シリンダ２３を設けている。この油圧昇降シリンダ２３は、主伝動ケース１２に取り付けられた油圧切替バルブ部２４（図１参照）に固着して設けられ、主伝動ケース１２に取り付けられた油圧ポンプからの油路を油圧切替バルブ部２４で切り替えることにより作動する。
【０１２２】
尚、油圧昇降シリンダ２３が、本発明の昇降装置の一例にあたり、油圧切替バルブ部２４が、本発明の昇降切替部の一例にあたる。
【０１２３】
又、油圧昇降シリンダ２３のシリンダロッドの後端には左右に延びる横杆４３を設け、この横杆４３の左右端部にそれぞれロッドとなる左側後輪昇降ロッド４４及び右側後輪昇降ロッド４５を連結し、左側後輪昇降ロッド４４及び右側後輪昇降ロッド４５の他端をそれぞれの走行エクステンションケース４０に取り付けられた上側アーム４０ａに枢着して、横杆４３と走行エクステンションケース４０とが連結された構成となっている。
【０１２４】
したがって、油圧昇降シリンダ２３の伸縮により横杆４３、左側後輪昇降ロッド４４及び右側後輪昇降ロッド４５を介して主伝動ケース１２の左右の出力軸回りに走行チェーンケース２０を回動し、該走行チェーンケース２０の回動により後輪１４が上下して走行車体１が昇降する構成となっている。
【０１２５】
又、左側後輪昇降ロッド４４が伸縮するべく該左側後輪昇降ロッド４４の中途部に油圧ポンプからの油圧により作動する左右傾斜用油圧シリンダ２５を設けており、該左右傾斜用油圧シリンダ２５の伸縮により右側の後輪１４の上下位置を基準として左側の後輪１４を上下させて、畝Ｕの谷部の凹凸に関係なく走行車体１を所望の左右傾斜姿勢に制御する構成となっている。
【０１２６】
尚、主伝動ケース１２の右側には振り子式の左右傾斜センサー４２が設けられて、この左右傾斜センサー４２の検出により油圧切替バルブ部２４に備えられた左右傾斜用切替バルブを介して左右傾斜用油圧シリンダ２５を作動させ、走行車体１を所望の左右傾斜姿勢に制御する構成となっている。
【０１２７】
本実施の形態の植付装置１９は、苗を１個ずつ圃場の畝に植え付けるべく、主伝動ケース１２内からの動力が主伝動ケース１２の後側に設けた植付伝動ケース２６と、その植付伝動ケース２６に取り付けられた植付装置駆動ケース２７を介して伝達され作動する構成になっている。
【０１２８】
植付装置１９は、先端が尖った嘴状の植付具２８と該植付具２８を昇降させるべく作動する昇降リンク機構２９とで構成される。植付具２８の先端は、植付具２８の昇降動作によって、図１に示す通り、前側で下降し後側で上昇するとともに、前後方向の幅が上部よりも下部の方が大きい形状の軌跡１７を描いて図中の矢印方向に繰り返し作動する。
【０１２９】
以上の構成のもとで、本実施の形態のたばこ苗移植機１０を使用しようとする作業者は、左右一対の固定予備苗台３００Ｌ、３００Ｒの下方に収納されている左右一対の可動予備苗台３５０Ｌ、３５０Ｒを、円筒状可動支持部材３１０Ｌ、３１０Ｒを中心として回動して、図８に示した位置まで展開し固定ピン（図示省略）等で一時的に固定する。そして、それら予備苗台の上に、たばこ苗を載せて、移植作業の準備を行う。
【０１３０】
そして、走行車体１の走行と共に歩行する作業者が、作業位置Ｓ（図２参照）において、可動予備苗台３５０Ｌ（３５０Ｒ）、固定予備苗台３００Ｌ（３００Ｒ）に予め準備された苗を一つずつ手で掴んで、機体の走行に合わせて矢印Ａ方向（図２参照）に回転している供給カップ３３に、それぞれ入れていく。
【０１３１】
供給カップ３３の開閉蓋が、所定位置Ｐで開くと、供給カップ３３内の苗が下方の植付具２８に供給される。植付具２８は、図１に示す作動の軌跡１７の下死点に来た時に土中に所定深さまで突入するとともに鳥の嘴の如く左右に開いて、内部に保持されていた苗を落下して植え付ける。
【０１３２】
そして、その植え付け位置の前方と後方にそれぞれ配置された前ホース４３０Ｌと後ホース４３０Ｒから、左右一対の肥料繰り出し部４２０Ｌ、４２０Ｒにてそれぞれ計量された施肥料が所定のタイミングで播かれる。
【０１３３】
次に、苗供給部３１の構成、及び苗供給部３１から植付具２８への苗の供給動作について説明する。
【０１３４】
図９（ａ）は、苗供給部３１を下から見た底面図であり、図９（ｂ）は、苗供給部３１を上から見た一部透視上面図である。
【０１３５】
図１０は、苗供給部３１の取り付け構造を説明する側断面図であり、供給回転台３２の回転中心を通る断面を示している。
【０１３６】
図２に示す通り、苗供給部３１は、回転台駆動ケース３８からの動力が回転力伝達部材７７によって伝達され、作動する。
【０１３７】
苗供給部３１は、植付装置１９の上方に設けられた、上端と下端に開口を有する供給カップ３３を８つ貫通させてループ状に固定配置した回転可能な供給回転台３２と、略Ｃ字型の供給カップ開閉ガイド３５と、供給回転台３２を反時計回りに回転させる回転駆動機構７８等を備えている。
【０１３８】
供給回転台３２は、図１０に示す通り、外周縁部が下方に曲げられた盆状部材であって、その円形平面部の外周寄りに等間隔に開けられた８つの孔に、両端が開放された略筒状の供給カップ３３がそれぞれ貫通固定されている。又、供給回転台３２の中央部には、回転駆動機構７８からの回転力により供給回転台３２を反時計回りに回転させる回転軸が固定配置されている。
【０１３９】
回転駆動機構７８は、機体に固定された支柱３９に固定されるとともに、補助プレート７９に固定されている。補助プレート７９は、主フレーム２２に固定された補助プレート支持板１３２を介して主フレーム２２に固定されている。
【０１４０】
そして、図９（ａ）に示す通り、各供給カップ３３の底部には、上下方向に可動する開閉蓋３４が、それぞれ１つずつ設けられている。
【０１４１】
又、図９（ａ）に示す通り、各供給カップ３３の下方には、供給回転台３２の矢印Ａ方向への回転により供給カップ３３が、植付具２８の上方の位置である所定位置Ｐに来たときにのみ供給カップ３３の底部の開閉蓋３４が開くべく、環状の一部を切り欠いた略Ｃ字型の供給カップ開閉ガイド３５が、支柱３９に固定されている。尚、供給カップ開閉ガイド３５は、前記所定位置Ｐ以外の位置で、開閉蓋３４を下側から接触して支えて開閉蓋３４が開くことを規制する。
【０１４２】
本実施の形態のたばこ苗移植機１０は、その機体の走行と共に歩行する作業者が、可動予備苗台３５０Ｌ（３５０Ｒ）、固定予備苗台３００Ｌ（３００Ｒ）にある苗株を一つずつ手で掴んで、機体の走行に合わせて矢印Ａ方向に回転している供給カップ３３に、それぞれ入れていく。
【０１４３】
供給カップ３３の開閉蓋３４が、前記所定位置Ｐで開くと、供給カップ３３内の苗株が下方の植付具２８に供給される。植付具２８は、図１に示す作動の軌跡１７の下死点に来た時に土中に所定深さまで突入するとともに鳥の嘴の如く左右に開いて、内部に保持されていた苗株を落下して植え付ける。
【０１４４】
図１１に、本実施の形態の植付伝動ケースの側面図を示す。図１２に、本実施の形態の植付装置駆動ケースの側面図を示す。図１３に、本実施の形態の植付伝動ケースの断面展開平面図を示す。図１４に、本実施の形態の植付クラッチの拡大平面図を示す。図１５及び図１６に、それぞれ本実施の形態の植付クラッチの作用説明用拡大側面図を示す。
【０１４５】
主伝動ケース１２の後面から後側へ突出する動力取出軸を突出し、該動力取出軸を介して植付伝動ケース２６内に動力が入力される。植付伝動ケース２６内の伝動について説明すると、図１３に示す通り、前記動力取出軸と同軸上で一体回転する前後方向の入力軸１９３を設け、該入力軸１９３から一対のベベルギヤ１９４ａ、１９４ｂを介して左右方向の第一軸１９５へ伝動される。尚、植付伝動ケース２６の直前で入力軸１９３上には、所定以上の負荷トルクで動力を断つ安全クラッチ１９６を設けており、メカロック等により植付装置１９に過大な作動負荷が生じたときに安全クラッチ１９６により動力を断って植付装置１９及び植付伝動ケース２６を含む植付伝動機構の破損を防止する。第一軸１９５に該第一軸１９５と一体回転する第一駆動スプロケット１９７を設け、第一駆動スプロケット１９７から伝動チェーンである第一無端体１９８を介して第一従動スプロケット１９９へ伝動し、該第一従動スプロケット１９９と一体回転する左右方向の第二軸２００へ伝動する。第二軸２００上で且つ第一従動スプロケット１９９の左右一方側（左側）には、３個の駆動側ギヤ２０１ａ、２０１ｂ、２０１ｃを左右に配列し、該３個の駆動側ギヤ２０１ａ、２０１ｂ、２０１ｃが第二軸２００と一体回転する。尚、前記複数の駆動側ギヤ２０１ａ、２０１ｂ、２０１ｃは、互いのピッチ円直径を異ならせており、互いに異なる歯数に設定されている。
【０１４６】
複数の駆動側ギヤ２０１ａ、２０１ｂ、２０１ｃのうちの何れかと噛み合う単一の従動側ギヤ２０２を左右方向の第三軸２０３上に設けており、該従動側ギヤ２０２を第三軸２０３上で左右にスライドさせることにより、従動側ギヤ２０２が３個の駆動側ギヤ２０１ａ、２０１ｂ、２０１ｃのうちの何れかと噛み合う構成で切り替えられる構成となっている。尚、第三軸２０３は、その軸表面に形成したスプライン２０４を介して従動側ギヤ２０２と一体回転する構成となっている。
【０１４７】
従動側ギヤ２０２のスライドは、従動側ギヤ２０２に連繋するスライドシフタである選択機構２０５の左右スライドにより行われる。選択機構２０５は、従動側ギヤ２０２に連係する連係部２０６と、該連係部２０６と一体で左右方向に延びるスライド軸２０７を備え、スライド軸２０７の端部が植付伝動ケース２６の左右他方側（右側）の側面から突出しており、スライド軸２０７の端部に切替操作グリップ２０８を固着している。したがって、作業者が切替操作グリップ２０８を左右に操作することにより、選択機構２０５が左右に移動して連係部２０６の左右位置が切り替えられ、第三軸２０３への伝動比が切り替えられる。この選択機構２０５による伝動比の切替構成は、走行速度に対する植付装置１９の作動速度を変更して植付株間を変更する株間変速装置となる。スライド軸２０７は、第三軸２０３の上方で第三軸２０３の前端よりも後側に配置され、連係部２０６を含めた選択機構２０５は、第三軸２０３の上側で第三軸２０３よりも後側に配置されている。
【０１４８】
第三軸２０３の左右一方側（左側）の端部には、第三軸２０３と一体回転する第二駆動スプロケット２０９を設け、第二駆動スプロケット２０９から伝動チェーンである第二無端体２１０を介して第二従動スプロケット２１１へ伝動する。該第二従動スプロケット２１１は、左右方向の第四軸となる揺動カム駆動軸８８上で遊転する構成であり、揺動カム駆動軸８８上に設けた植付クラッチ２１２の駆動体としての駆動側爪体２１３と一体で回転する。植付クラッチ２１２は、伝動を断つときには所定の回転位相（定位置）で停止する定位置停止クラッチであり、植付装置１９の植付具２８を作動する軌跡１７上の上死点を越えて若干下降した位置で停止させる。植付クラッチ２１２は、第二従動スプロケット２１１の左右他方側（右側）に配置され、駆動側爪体２１３と噛み合う従動体としての従動側爪体２１４が揺動カム駆動軸８８と一体回転し且つ軸方向に左右移動する構成となっており、揺動カム駆動軸８８への伝動の入切をする。尚、駆動側爪体２１３と従動側爪体２１４には、互いに噛み合う４つの係合爪２１３ａと４つの２１４ａが各々に設けられている。
【０１４９】
すなわち、従動側爪体２１４は、図１４に示す通り、揺動カム駆動軸８８に軸方向に左右移動自在に装着されている。そして、従動側爪体２１４の中央部に設けた軸孔２１４´には、軸方向に貫通したキー溝２１４ｂを設け、該キー溝２１４ｂが揺動カム駆動軸８８に設けたキー８８ａに嵌合する構成となっている。したがって、従動側爪体２１４は、揺動カム駆動軸８８と一体回転すると共に、揺動カム駆動軸８８上を軸方向に左右移動自在に装着された構成となっている。
【０１５０】
そして、植付クラッチ２１２の従動側爪体２１４の外周面には、従動側爪体２１４を駆動側爪体２１３から離して植付クラッチ２１２を切り、植付装置１９の植付具２８を上記の定位置で停止させる操作カム２１５を形成している。該操作カム２１５は、後記の接当体としての操作ピン２１６ａが接触して揺動カム駆動軸８８が矢印イ方向に回転することにより、従動側爪体２１４が駆動側爪体２１３から離れる方向に移動し、両者の係り合いを断ち植付クラッチ２１２を切る傾斜面２１５ａと、従動側爪体２１４が駆動側爪体２１３から離れて植付クラッチ２１２が切れた後に操作ピン２１６ａが接触して植付装置１９の植付具２８を上記の定位置で停止させる接当面２１５ｂとによって構成されている。
【０１５１】
そして、上記の従動側爪体２１４が駆動側爪体２１３から離れて植付クラッチ２１２が切れるタイミングは、昇降リンク機構２９によって植付具２８がその軌跡１７の最上昇位置を少し過ぎた位置に来た時にしている。したがって、植付クラッチ２１２は、最上昇位置を少し過ぎた植付具２８の下動しようとする慣性力により確実に切れる。そして、植付クラッチ２１２が確実に切れた後、植付具２８の下動しようとする慣性力は、操作ピン２１６ａが接触している傾斜面２１５ａと従動側爪体２１４を付勢している下記の圧縮バネである植付クラッチスプリング２１７の付勢力により徐々に小さくなって、操作ピン２１６ａが接当面２１５ｂに接触して植付具２８を定位置で適正に停止させる。
【０１５２】
又、図１５に示す通り、上記の操作カム２１５に対向する操作ピン２１６ａを先端に設けた植付クラッチ操作機構２１６が、操作カム２１５側（前側）に突出して操作ピン２１６ａが操作カム２１５に接触することにより、上記の通り、植付クラッチ２１２の伝動を断つ構成となっている。逆に、図１６に示す通り、植付クラッチ操作機構２１６が操作カム２１５とは反対側（後側）に戻って操作カム２１５から離れると、従動側爪体２１４を駆動側爪体２１３側（左側）へ押し付ける植付クラッチスプリング２１７により、駆動側爪体２１３と従動側爪体２１４が噛み合って植付クラッチ２１２が伝動状態となる。
【０１５３】
この時、従動側爪体２１４には、操作カム２１５終端部の接当面２１５ｂを設けた部位に操作カム２１５部位よりも外周方向に突出した円弧状の凸部２１５ｃを設けている。そして、円弧状の凸部２１５ｃは、その接当面２１５ｂの従動側爪体２１４が植付クラッチスプリング２１７により付勢されて移動する方向（植付クラッチ２１２が入になる方向）の後側角部を斜めに削って接当体案内斜面２１５ｄを形成している。
【０１５４】
したがって、植付クラッチ２１２の伝動を入にする際に、操作ピン２１６ａを操作カム２１５から離れる方向に移動させて、操作ピン２１６ａが接当面２１５ｂの円弧状の凸部２１５ｃの接当体案内斜面２１５ｄに移動した時に、操作ピン２１６ａが接当体案内斜面２１５ｄを滑る構成で移動して従動側爪体２１４が植付クラッチスプリング２１７により付勢されて従動側爪体２１４が駆動側爪体２１３に強制的に噛み合う構成で作用し、植付クラッチ２１２は適確に且つ迅速に伝動入りの状態となる。よって、操作ピン２１６ａが接当面２１５ｂから離れて昇降リンク機構２９による植付具２８の下降するタイミングと植付クラッチ２１２の伝動入りによる駆動タイミングとが殆ど同じになり、適正に植付具２８は昇降リンク機構２９にて駆動作動される。
【０１５５】
又、従動側爪体２１４が駆動側爪体２１３に噛み合って植付クラッチ２１２が伝動入りになった状態では、操作ピン２１６ａは円弧状の凸部２１５ｃの従動側爪体２１４と反対の側面２１５ｅに対向する位置にあり、操作ピン２１６ａが従動側爪体２１４の回転を阻害することはない。
【０１５６】
然も、円弧状の凸部２１５ｃは、昇降リンク機構２９によって植付具２８が下降し始めて、植付具２８が畝Ｕ上面に突入して畝Ｕに苗を植付け終えるまでの間、操作ピン２１６ａと対向する位置にある。したがって、植付具２８が畝Ｕ上面に突入して畝Ｕに苗を植付ける時の植付け負荷によって揺動カム駆動軸８８に駆動負荷が掛かっても、操作ピン２１６ａが円弧状の凸部２１５ｃの側面２１５ｅに対向する位置にあるので、操作ピン２１６ａが円弧状の凸部２１５ｃの側面２１５ｅに接触して、従動側爪体２１４が駆動側爪体２１３から離れることを阻止し、植付クラッチ２１２の伝動が切れることが防止でき、適切な苗の移植作業が行える。
【０１５７】
尚、植付クラッチ操作機構２１６は、揺動カム駆動軸８８の後方で揺動カム駆動軸８８よりも後側に配置されている。そして、操縦ハンドル１６の左右中間位置に機体後方に向けて設けられた植付クラッチレバー１６１を作業者が植付けクラッチ切り方向に操作すると、植付クラッチ操作機構２１６の操作ピン２１６ａが操作カム２１５側（前側）に突出して操作ピン２１６ａが操作カム２１５に接触することにより、上記の通り、植付クラッチ２１２の伝動を断つ。逆に、植付クラッチレバー１６１を作業者が植付クラッチ入り方向に操作すると、植付クラッチ操作機構２１６の操作ピン２１６ａが操作カム２１５とは反対側（後側）に戻って操作カム２１５から離れ、植付クラッチスプリング２１７により駆動側爪体２１３と従動側爪体２１４が噛み合って植付クラッチ２１２が伝動状態となる。
【０１５８】
揺動カム駆動軸８８の左右一方側（左側）の端部は、植付伝動ケース２６から突出しており、植付伝動ケース２６の左右一方側（左側）の側面に固着された植付装置駆動ケース２７内を貫通し、さらに植付装置駆動ケース２７の左右一方側（左側）の側面から突出している。植付装置駆動ケース２７内において、図１２に示す通り、揺動カム駆動軸８８と一体回転する第三駆動スプロケット２１８を設け、第三駆動スプロケット２１８から伝動チェーンである第三無端体１０７を介して第三従動スプロケット２２０へ伝動し、第三従動スプロケット２２０と後述するクランクアーム駆動軸８９が一体回転する。尚、クランクアーム駆動軸８９は、揺動カム駆動軸８８と同じ高さで揺動カム駆動軸８８の後方に配置されている。又、第三無端体１０７の上方には、第三無端体１０７に接触して第三無端体１０７に張力を与える板ばね２２１を設けている。
【０１５９】
一方、揺動カム駆動軸８８の左右他方側（右側）の端部には、供給部伝動用の一対のベベルギヤ２２１ａ、２２１ｂを設けており、供給部伝動用の一対のベベルギヤ２２１ａ、２２１ｂを介して植付伝動ケース２６の後側に突出する供給部用動力取出軸２２２へ伝動する構成となっている。供給部用動力取出軸２２２からの伝動により、苗供給部３１が駆動回転する構成である。
【０１６０】
植付伝動ケース２６内の伝動軸の配置構成について説明すると、図１１に示す通り、第一軸１９５よりも第二軸２００を後側且つ上側に配置し、第二軸２００の後方（第二軸２００と略同じ高さの位置）に第三軸２０３を配置し、第三軸２０３の上方（第三軸２０３と略同じ前後位置）に第四軸（揺動カム駆動軸）８８を配置している。そして、植付伝動ケース２６は、第二軸２００と第四軸８８の間で第三軸２０３の斜め前上側で且つ植付伝動ケース２６の前側上面に凹部２２３を形成している。
【０１６１】
そして、エンジン１１及び主伝動ケース１２の上方を覆う機体カバー２２４を設けており、該機体カバー２２４の後部２２４ａを植付伝動ケース２６の凹部２２３に突入させて配置している。機体カバー２２４には、植付伝動ケース２６の左右一方側（左側）で植付伝動ケース２６の凹部２２３よりも後側に延ばした延長部２２４ｂを形成し、該延長部２２４ｂを昇降リンク機構２９の前部（後述する前揺動アーム８０及び左後揺動アーム８１）の上方に配置している。
【０１６２】
次に、図１７及び図１８に基づいて、伝動を断つときに所定の回転位相（定位置）で停止する定位置停止クラッチである植付クラッチ２１２の他の例を説明する。
【０１６３】
図１７は、本実施の形態の他の例の植付クラッチの拡大平面図を示し、図１８は、その植付クラッチの作用説明用要部拡大平面図を示す。
【０１６４】
この実施例に示す植付クラッチ２１２は、前例と同様に第二従動スプロケット２１１の左右他方側（右側）に配置され、駆動側爪体２１３と噛み合う従動側爪体２１４が揺動カム駆動軸８８と一体回転し且つ軸方向に左右移動する構成となっており、揺動カム駆動軸８８への伝動の入切をする。尚、駆動側爪体２１３と従動側爪体２１４には、互いに噛み合う４つの係合爪２１３ａと４つの係合爪２１４ａが各々に設けられている。
【０１６５】
すなわち、従動側爪体２１４は、揺動カム駆動軸８８に軸方向に左右移動自在に装着されている。そして、従動側爪体２１４の中央部に設けた軸孔２１４’には、軸方向に貫通したキー溝２１４ｂを設け、該キー溝２１４ｂが揺動カム駆動軸８８に設けたキー８８ａに嵌合する構成となっている。従って、従動側爪体２１４は、揺動カム駆動軸８８と一体回転すると共に、揺動カム駆動軸８８上を軸方向に左右移動自在に装着された構成となっている。
【０１６６】
そして、植付クラッチ２１２の従動側爪体２１４の外周面には、従動側爪体２１４を駆動側爪体２１３から離して植付クラッチ２１２を切り、植付装置１９の植付具２８を上記の定位置で停止させる操作カム２１５を形成している。該操作カム２１５は、後記の操作ピン２１６ａが接触して揺動カム駆動軸８８が矢印イ方向に回転することにより、従動側爪体２１４が駆動側爪体２１３から離れる方向に移動し、両者の係り合いを断ち植付クラッチ２１２を切る傾斜面２１５ａと、従動側爪体２１４が駆動側爪体２１３から離れて植付クラッチ２１２が切れた後に操作ピン２１６ａが接触して植付装置１９の植付具２８を上記の定位置で停止させる接当面２１５ｂとによって構成されている。
【０１６７】
そして、上記の従動側爪体２１４が駆動側爪体２１３から離れて植付クラッチ２１２が切れるタイミングは、昇降リンク機構２９によって植付具２８がその軌跡１７の最上昇位置を少し過ぎた位置に来た時にしている。したがって、植付クラッチ２１２は、最上昇位置を少し過ぎた植付具２８の下動しようとする慣性力により確実に切れる。そして、植付クラッチ２１２が確実に切れた後、植付具２８の下動しようとする慣性力は、操作ピン２１６ａが接触している傾斜面２１５ａと従動側爪体２１４を付勢している下記の植付クラッチスプリング２１７の付勢力により徐々に小さくなって、操作ピン２１６ａが接当面２１５ｂに接触して植付具２８を定位置で適正に停止させる。
【０１６８】
この実施例で前記実施例と異なる点は、従動側爪体２１４には、係合爪２１４ａが設けられた側と左右反対側に回転固定用の係合凸爪２１４ｃを設け、植付伝動ケース２６に該係合凸爪２１４ｃと係り合い従動側爪体２１４を所定位置で停止させる固定側係合凸爪２６ａを設けた構成としていることである。
【０１６９】
すなわち、上記操作ピン２１６ａが接当面２１５ｂに接触して植付具２８を定位置で停止させる時に、従動側爪体２１４が矢印ロ方向に移動してその係合凸爪２１４ｃが固定側の植付伝動ケース２６の固定側係合凸爪２６ａに係り合う構成としており、植付具２８は設定位置で確実に且つ適正に停止する。
【０１７０】
そして、植付クラッチレバー１６１を植付けクラッチ切り方向に操作すると、植付クラッチ操作機構２１６の操作ピン２１６ａが操作カム２１５側（前側）に突出して操作ピン２１６ａが操作カム２１５に接触することにより、上記の通り、植付クラッチ２１２の伝動を断つ。逆に、植付クラッチレバー１６１を植付けクラッチ入り方向に操作すると、植付クラッチ操作機構２１６の操作ピン２１６ａが操作カム２１５とは反対側（後側）に戻って操作カム２１５から離れ、植付クラッチスプリング２１７により駆動側爪体２１３と従動側爪体２１４が噛み合って植付クラッチ２１２が伝動状態となる。
【０１７１】
又、従動側爪体２１４の係合爪２１４ａは、高く突出した高係合爪２１４ａ−１と低く突出した低係合爪２１４ａ−２の二段に形成されている。これにより、植付クラッチレバー１６１を植付けクラッチ入り方向に操作すると、植付クラッチ操作機構２１６の操作ピン２１６ａが操作カム２１５とは反対側（後側）に戻って操作カム２１５から離れ、植付クラッチスプリング２１７に付勢されて従動側爪体２１４が駆動側爪体２１３側（矢印ハ方向）に移動するが、駆動側爪体２１３の係合爪２１３ａ間に従動側爪体２１４の高く突出した高係合爪２１４ａ−１が嵌り込むまでは、従動側爪体２１４の係合凸爪２１４ｃが固定側の植付伝動ケース２６の固定側係合凸爪２６ａに係り合った状態を維持し植付具２８は設定位置で停止した状態で維持される。従って、植付クラッチレバー１６１を植付けクラッチ入り方向に操作した時、植付クラッチ２１２が伝動状態になる前に植付具２８が自重にて作動してしまう事態を回避できる。
【０１７２】
そして、駆動側爪体２１３の係合爪２１３ａ間に従動側爪体２１４の高く突出した高係合爪２１４ａ−１が嵌り込むと、従動側爪体２１４の係合凸爪２１４ｃと固定側の植付伝動ケース２６の固定側係合凸爪２６ａとの係り合いが外れて植付具２８は可動状態となり、引き続き、駆動側爪体２１３の係合爪２１３ａ間に従動側爪体２１４の低く突出した低係合爪２１４ａ−２も嵌り込むと、駆動側爪体２１３の係合爪２１３ａと従動側爪体２１４の係合爪２１４ａが確実に噛み合って植付クラッチ２１２が伝動状態となる。
【０１７３】
従って、駆動側爪体２１３の係合爪２１３ａ間に従動側爪体２１４の高く突出した高係合爪２１４ａ−１が嵌り込むと、従動側爪体２１４の係合凸爪２１４ｃと固定側の植付伝動ケース２６の固定側係合凸爪２６ａとの係り合いが外れて植付具２８は可動状態となり、その後、駆動側爪体２１３の係合爪２１３ａ間に従動側爪体２１４の低く突出した低係合爪２１４ａ−２も嵌り込むと、駆動側爪体２１３の係合爪２１３ａと従動側爪体２１４の係合爪２１４ａが確実に噛み合って植付クラッチ２１２が伝動状態となるので、従動側爪体２１４の係合凸爪２１４ｃと固定側の植付伝動ケース２６の固定側係合凸爪２６ａとが係り合い固定状態で駆動側爪体２１３の係合爪２１３ａと従動側爪体２１４の係合爪２１４ａが噛み合って植付クラッチ２１２が伝動状態となることが防止できて、伝動機構が破損することを防止できる。
【０１７４】
次に、株間変速装置の変速操作装置の他の例を説明する。
【０１７５】
図１９は、本実施の形態の他の例の株間変速及び副変速操作の作用を説明する植付伝動ケースの要部断面展開平面図を示す。
【０１７６】
前記の例では、切替操作グリップ２０８を左右に操作することにより、選択機構２０５が左右に移動して連係部２０６の左右位置が切り替えられて従動側ギヤ２０２を第三軸２０３上で左右にスライドさせることにより、従動側ギヤ２０２が３個の駆動側ギヤ２０１ａ、２０１ｂ、２０１ｃのうちの何れかと噛み合う構成で切り替えて株間変速操作を行う例を示したが、図１９に示す例では、株間変速操作と主伝動ケース１２の走行速と作業速を切り替える副変速操作が１つの操作レバー２８０で行える構成としている。
【０１７７】
すなわち、操縦ハンドル１６近くに設けた操作グリップ２８０ａを後部に設け、前端部を主伝動ケース１２の右側壁にボルトにて固定して設けたＬ字型支持片２８１の先端部に設けた貫通孔２８１ａに貫通して回動自在に支持している。尚、該貫通孔２８１ａは、操作レバー２８０が左右方向操作できるべく操作レバー２８０前端の直径よりも少し大きくしている。
【０１７８】
そして、操作レバー２８０の前部でＬ字型支持片２８１の直ぐ後方位置には上方に向けて延設した副変速操作アーム２８２の基部を溶接固着し、該副変速操作アーム２８２の上端部を主伝動ケース１２の右側壁から突出して設けた副変速操作レバー２８３に連結している。したがって、操縦ハンドル１６の近くに居る作業者が操作レバー２８０の操作グリップ２８０ａを握って回動操作すると、副変速操作アーム２８２の上部が矢印ニ−ホ方向に操作され、それに連携して副変速操作レバー２８３が押し引き操作され、操作レバー２８０の操作グリップ２８０ａを水平にした時に副変速は走行速（高速）に変速され、操作レバー２８０の操作グリップ２８０ａを上向きで垂直にした時に副変速は作業速（低速）に変速される構成としている。
【０１７９】
又、操作レバー２８０の中途部には植付伝動ケース２６側に向けて延設した株間変速アーム２８４の基部を溶接固着して設け、該株間変速アーム２８４の先端部に設けた円弧状長孔２８４ａに上記連係部２０６を左右移動させるシフトロッド２８５を連結している。
【０１８０】
尚、円弧状長孔２８４ａは、操作レバー２８０の軸心を中心とした円弧となっており、該円弧状長孔２８４ａにシフトロッド２８５内に固定のピン２８５ａが挿入されている構成となっている。したがって、走行速と作業速を切り替える副変速操作を行うべく、操作レバー２８０の操作グリップ２８０ａを握って回動操作しても、シフトロッド２８５は左右移動せず株間変速はされない。
【０１８１】
株間変速を行うときには、操作レバー２８０の操作グリップ２８０ａを握って操作レバー２８０を左右方向操作すると、シフトロッド２８５が左右移動して株間変速される。又、操作レバー２８０の上方位置で操作グリップ２８０ａの前方位置には、株間変速操作位置が分るべく株間変速操作位置表示ラベル２８６が植付伝動ケース２６の側壁に固定して設けられており、該株間変速操作位置表示ラベル２８６は機体後方の操縦ハンドル１６側から見える構成で配置され、且つ、副変速を作業速（低速）に操作した時に変速操作レバー２８０の操作グリップ２８０ａは上向き垂直状になっているので、作業者は株間変速操作位置表示ラベル２８６に対する操作グリップ２８０ａの位置で容易に株間変速操作位置が認識できて操作性が良い。
【０１８２】
次に、図１に示したたばこ苗移植機１０の植付装置１９の詳細な構成及び動作について説明する。
【０１８３】
図２０及び図２１に、それぞれ植付装置１９の、左前方から見た斜視図及び右後方から見た斜視図を示す。又、図２２に、植付装置１９の側面図を示す。
【０１８４】
植付装置１９は、図２０〜図２２に示す通り、上部に形成した開口から苗株を受けて左右に開閉可能な先端が尖ったカップ状の植付具２８と、この植付具２８を昇降駆動する、植付装置駆動ケース２７に設けられた昇降リンク機構２９とから構成される。
【０１８５】
尚、植付具２８は、先端が尖ったカップ状の下部が閉じた状態で内部に苗株を保持して、植付け軌跡１７の最下端で左右に開いて畝内で苗株を植付ける一般的な構成である。供給回転台３２から落下してくる苗株が確実に植付具２８内に入るべく、植付具２８上部には、苗ガイド１０８が取り付けられている。
【０１８６】
本実施の形態の昇降リンク機構２９は、植付装置駆動ケース２７の左側において、上端が揺動カム駆動軸８８に回動自在に枢支され、下端が下前軸９１にて回動自在に連結支持板９４に連結された前揺動アーム８０と、植付装置駆動ケース２７を基準として回動自在な上後軸９０に上端が固定され、下端が下後軸９３にて回動自在に連結支持板９４に連結されて、前揺動アーム８０と前後に平行に設けられた左後揺動アーム８１を備える。又、上後軸９０は、他端が植付装置駆動ケース２７の右側へ突出しており、植付装置駆動ケース２７の右側において、右後揺動アーム９９の上端が固定されている。
【０１８７】
植付装置駆動ケース２７は、植付伝動ケース２６から出力される動力を伝達し、左側に突出して設けた揺動カム駆動軸８８、及び植付装置駆動ケース２７を貫通して左右両側に突出して設けたクランクアーム駆動軸８９を駆動する。
【０１８８】
又、連結支持板９４の上軸９２と下後軸９３に前端がそれぞれ回動自在に枢支され、後端がそれぞれ植付具２８の回動上軸９５と回動下軸９６に回動自在に連結された平行な上アーム８２及び左下アーム８３を備える。植付装置駆動ケース２７の右側には、右後揺動アーム９９の下端部分に前端が回動自在に枢支され、後端が植付具２８の右側に回動自在に連結された右下アーム９７を備える。
【０１８９】
右下アーム９７は、左下アーム８３と平行に配置され、左下アーム８３及び右下アーム９７に両端がそれぞれ回動自在に枢支された左右連結棒９８によって、左下アーム８３と連結されている。
【０１９０】
植付装置駆動ケース２７から右側に突出して設けたクランクアーム駆動軸８９に基部が固着されて回転するクランクアーム８５と、クランクアーム８５の先端に設けた回動連結軸１０６に回動自在に一端が枢支され、他端が左右連結棒９８の途中部分に連結された連結アーム８６を備える。左右連結棒９８は、連結アーム８６を基準として回動自在に連結されている。
【０１９１】
又、植付装置駆動ケース２７から左側に突出して設けた揺動カム駆動軸８８に固定されて回転する揺動駆動カム８４を備え、揺動駆動カム８４の周縁部に接触する構成で、左後揺動アーム８１の上後軸９０寄りの途中部分に回動自在に回動ローラー８７が設けられている。
【０１９２】
又、植付伝動ケース２６に設けられた支持ピンと左後揺動アーム８１の下端部との間に設けられて、前揺動アーム８０及び左後揺動アーム８１を機体前方に向けて付勢し、揺動駆動カム８４と回動ローラー８７を接触させる引張バネ１６７（図２３（ａ）参照）を備えている。
【０１９３】
又、植付具２８の開閉動作に使用するカウンターアーム１０４が、上アーム８２の一端が連結されている回動上軸９５に、回動自在に軸支されている。
【０１９４】
又、開閉アーム１０１が、上アーム８２の他端が連結されている上軸９２に、回動自在に軸支されており、開閉アーム１０１とカウンターアーム１０４が、連結ロッド１０３により連結されている。カウンターアーム１０４には、ピン１０５が立設しており、植付具２８のホルダー部分に連結する開閉ロッド２３１に設けられた孔が遊嵌している。
【０１９５】
又、揺動駆動カム８４とともに揺動カム駆動軸８８に固定されて回転する開閉駆動カム１００が設けられており、開閉駆動カム１００の周縁部に接触する構成で、開閉アーム１０１上に開閉用ローラー１０２が設けられている。揺動カム駆動軸８８の回転にしたがって開閉駆動カム１００が回転することにより、開閉用ローラー１０２を介して開閉アーム１０１に所定のタイミングで作用させる。
【０１９６】
この構成により、本実施の形態の植付装置１９は、植付動作時において、たばこ苗移植機１０が停止しているときに、先端が軌跡１７を描く構成で動作する。
【０１９７】
次に、本実施の形態の植付装置１９の動作について説明する。
【０１９８】
図２３（ａ）〜図２３（ｄ）は、植付動作中の各位置における植付装置１９の側面図を示している。図２３（ａ）は、上死点における側面図を示し、図２３（ｃ）は、下死点における側面図を示している。図２３（ｂ）は、上死点から下死点に向けて下降している際の側面図を示し、図２３（ｄ）は、下死点から上死点に向けて上昇している際の側面図を示している。
【０１９９】
揺動カム駆動軸８８が回転することにより、揺動カム駆動軸８８に固定されている揺動駆動カム８４は揺動カム駆動軸８８とともに回動し、揺動駆動カム８４と接触する回動ローラー８７を介して左後揺動アーム８１及び前揺動アーム８０が前後に揺動する。このとき、上後軸９０によって左後揺動アーム８１と連結している右後揺動アーム９９も、左後揺動アーム８１とともに前後に揺動する。
【０２００】
一方、クランクアーム駆動軸８９が回転することにより、クランクアーム駆動軸８９に固定されているクランクアーム８５がクランクアーム駆動軸８９とともに回動し、連結アーム８６及び左右連結棒９８を介して左下アーム８３及び右下アーム９７が上下に揺動し、左下アーム８３とともに上アーム８２も上下に揺動する。
【０２０１】
したがって、前揺動アーム８０、左後揺動アーム８１及び右後揺動アーム９９と、上アーム８２、左下アーム８３及び右下アーム９７は、いずれも平行リンク機構であるから、植付具２８は垂直方向を向いた姿勢を維持してその下端が植付け軌跡１７を描いて作動し、植付具２８内に受け入れられた苗株を適正な姿勢で畝Ｕに植付けることができる。
【０２０２】
尚、本実施の形態の植付装置１９は、図２２に示す通り、植付具２８において、左下アーム８３が連結する回動下軸９６の位置を、上アーム８２が連結する回動上軸９５よりも前方に配置している。
【０２０３】
回動下軸９６を回動上軸９５よりも前方に配置したことにより、植付具２８が下降した際に、上アーム８２と左下アーム８３との間隔が狭まることを抑制できる。
【０２０４】
この構成としたことにより、植付具２８が下死点付近にあるとき、上アーム８２と左下アーム８３との間隔を広く維持できるので、植付状態においてガタつきがなく安定した植え付けが行なえる。
【０２０５】
苗が植付具２８に供給される位置、すなわち植付具２８が作動する軌跡１７の上死点付近にあるときの、揺動駆動カム８４が回動ローラー８７と接触している位置における揺動駆動カム８４の径の変化は小さく為るべく、又、苗を植え付ける位置、すなわち植付具２８が下死点付近にあるときの、揺動駆動カム８４が回動ローラー８７と接触している位置における揺動駆動カム８４の径の変化は大きく為るべく、揺動駆動カム８４の形状及び揺動駆動カム８４が揺動カム駆動軸８８に固定される向きが設定されている。
【０２０６】
揺動駆動カム８４の形状及び揺動カム駆動軸８８に固定される向きをこの通りに構成することにより、植付具２８の先端の移動速度を、苗を植え付けるときよりも、苗を供給するときを極めて遅くすることができる。
【０２０７】
又、上死点及び下死点では、クランクアーム８５と連結アーム８６が、鉛直方向で直線状に重なる位置となり、かつ、前揺動アーム８０、左後揺動アーム８１及び右後揺動アーム９９と平行になる構成としている。従って、苗が植付具２８に供給されるとき、すなわち植付具２８が上死点付近にあるときと、苗を植え付ける位置、すなわち植付具２８が下死点付近にあるときの、クランクアーム８５の回転による連結アーム８６の上下方向の位置の変化は小さく為るべく、クランクアーム８５の向きが設定されている。この構成により、植え付け動作時に、植付具２８の先端によって、ループ状の軌跡１７を描かせる構成で動作させ、上死点付近（苗が供給される位置）における植付具２８の移動速度が、下死点（苗が植え付けられる位置）における移動速度よりも遅くなる構成としている。したがって、移植対象物を、より確実に植付具２８に供給させることができる。
【０２０８】
又、植付具２８の先端が移植対象物を植え付ける位置に存在するときでは、クランクアーム８５及び連結アーム８６は、直線状に重なるので、クランクアーム８５による上下動と、連結アーム８６の傾きによる上下動が一致し、植付具２８の動きを速くできる。又、植付具２８の先端が移植対象物を植え付ける位置に存在するときでは、クランクアーム８５が、前揺動アーム８０、左後揺動アーム８１及び右後揺動アーム９９と互いに平行となるので、前揺動アーム８０、左後揺動アーム８１及び右後揺動アーム９９の上下動が少なくなり、クランクアーム８５及び連結アーム８６による上下動で、植付具２８をより速く移動させることができる。
【０２０９】
さらに、植付具２８の先端によって描かれる軌跡１７が、植え付けるときの前後の幅が最大と為るべく、すなわち植付具２８の上下動する幅の中心よりも下部で前後の幅が最大となる構成としている。植付具２８の先端の上下動する幅の中心位置よりも下方の位置で、静軌跡１７の前後幅が最大となるので、移植機走行時の動軌跡は、直線的に上下する軌跡となり、移植対象物をきれいに植え付けることができる。
【０２１０】
又、植付装置１９の上アーム８２、左下アーム８３及び右下アーム９７からなる平行状のリンク機構を、１つのクランクアーム８５により動作させている。一軸のクランクアーム８５で駆動するべく、伝動系のガタによる植付不具合を抑制することができる。
【０２１１】
又、上記昇降リンク機構２９を、揺動駆動カム８４によって前後移動させている。揺動駆動カム８４を用いる構成なので、植付具２８の先端が描く軌跡１７の前後幅を自由に設定することができる。
【０２１２】
又、揺動駆動カム８４に接触する回動ローラー８７を、左後揺動アーム８１の長手方向の中央位置よりも上後軸９０に近い位置、すなわち前揺動アーム８０の支点である揺動カム駆動軸８８に近い位置に配置しているので、揺動駆動カム８４の支点との距離を短くでき、揺動駆動カム８４を小さくできる。揺動駆動カム８４を小さくできるので、植付装置１９の小型化を図ることができる。
【０２１３】
又、植付具２８の先端が描く静軌跡となる軌跡１７は、下死点付近で円形状となっているので、たばこ苗移植機１０の走行を加味した動軌跡は、下死点付近では直線的に上下する軌跡となり、苗株等の移植対象物をきれいに植え付けることができる。さらに、植付具２８の先端が描く軌跡１７を、植え付け深さの範囲で円形状と為るべく、調整するのが望ましい。植付具２８が土中に突入する範囲で円形状の静軌跡とすることにより、植穴を小さくすることができる。
【０２１４】
又、植付具２８の先端が描く軌跡１７を、植え付け深さよりも上方では前後幅が小さくなる形状としたことにより、植付具２８が上昇するときの前側への移動量を大きくでき、植付具２８の先端が、植え付けた苗株等を引っ掛けない構成にできる。
【０２１５】
又、引張バネ１６７により左後揺動アーム８１へ斜め前上方への引き上げ力を与えているので、植付具２８が植付位置へ向けて下降するときに、植付具２８の自重により植付具２８が急激に降下して軌跡１７上での植付具２８の作動速度が不適正となることを防止できる。又、引張バネ１６７による前記引き上げ力は、植付具２８の自重に抗して下死点から植付具２８が上昇することをアシストするので、植付具２８を安定して動作させることができる。
【０２１６】
又、クランクアーム８５を、右側方から見た図２１において反時計回りに回動させることにより、植付具２８が作動するループ状の軌跡１７を基準としてクランクアーム８５が逆方向に回転することになるので、軌跡１７の上死点付近における植付具２８の移動速度を遅くさせ易く構成できる。上死点付近における植付具２８の移動速度を遅くすることで、より確実に苗を植付具２８へ供給させることができる。
【０２１７】
下死点付近では、前揺動アーム８０、左後揺動アーム８１及び右後揺動アーム９９が、前方から後方へ向けて動作するのに対応して、クランクアーム８５の先端の回動連結軸１０６は、後方から前方へ向けて回動する。前揺動アーム８０、左後揺動アーム８１及び右後揺動アーム９９が、クランクアーム８５と対向して動作するので、植付具２８の上下動の速度が速くなる構成にでき、植え付けの株間が変化しても機体の走行を加味した土中における植付具２８先端の動軌跡の変化は小さい。
【０２１８】
又、下死点付近において、クランクアーム８５と連結アーム８６が鉛直方向又は鉛直方向に近い方向で一直線上になるので、クランクアーム８５による上下動と連結アーム８６の傾きによる上下動が一致するので、植付具２８の上昇速度を速くできる。
【０２１９】
さらに、下死点付近において、前揺動アーム８０、左後揺動アーム８１及び右後揺動アーム９９が、クランクアーム８５及び連結アーム８６と平行に為らせることで、前揺動アーム８０、左後揺動アーム８１及び右後揺動アーム９９の上下動が少なくなり、クランクアーム８５及び連結アーム８６による上下動により、植付具２８をより速く上昇させることができる。
【０２２０】
図２４は、植付装置駆動ケース２７における各駆動軸の配置位置を説明する図であり、機体の左側方から見た図を示している。
【０２２１】
図２４に示す通り、本実施の形態の植付装置１９では、揺動カム駆動軸８８とクランクアーム駆動軸８９が、略同じ高さの位置に配置されている。そして、植付装置駆動ケース２７を左右に貫通している上後軸９０は、揺動カム駆動軸８８及びクランクアーム駆動軸８９の中心位置同士を結ぶ直線よりも下方の位置に配置されている。
【０２２２】
植付伝動ケース２６から植付装置駆動ケース２７へ伝達される駆動力は、揺動カム駆動軸８８へ伝達される。そして、植付装置駆動ケース２７内において、伝動チェーン１０７を介して、揺動カム駆動軸８８の駆動力がクランクアーム駆動軸８９へも伝達される。
【０２２３】
伝動チェーン１０７は、植付装置駆動ケース２７内において、上後軸９０の軸周りを周回するが、上後軸９０は、揺動カム駆動軸８８及びクランクアーム駆動軸８９の中心位置同士を結ぶ直線よりも下方の位置に配置されているので、伝動チェーン１０７が緩んでも上後軸９０に当たることが無く、駆動力を安定してクランクアーム駆動軸８９へ伝達できる。又、この通りに配置したことにより、揺動カム駆動軸８８、クランクアーム駆動軸８９及び上後軸９０を、コンパクトに配置することができる。
【０２２４】
次に、植付具２８を開閉させる開閉機構とその動作について説明する。
【０２２５】
植付具２８の開閉動作に使用するカウンターアーム１０４を、上アーム８２の一端（後端）に設けた回動上軸９５に、回動自在に設けている。又、上アーム８２の他端（前端）に設けた上軸９２に、開閉アーム１０１を回動自在に設けており、開閉アーム１０１とカウンターアーム１０４を連結ロッド１０３により連結している。又、カウンターアーム１０４には、ピン１０５を設けている。
【０２２６】
又、揺動駆動カム８４とともに揺動カム駆動軸８８に固定されて回転する開閉駆動カム１００を設けており、開閉駆動カム１００の周縁部に接触する開閉用ローラー１０２を、開閉アーム１０１に回動自在に設けている。揺動カム駆動軸８８の回転に伴って開閉駆動カム１００が回転することにより、開閉用ローラー１０２を介して開閉アーム１０１を作動させる。
【０２２７】
植付具２８の開閉動作については、カウンターアーム１０４が連結ロッド１０３を介して開閉アーム１０１と並行して動作し、開閉アーム１０１は、開閉用ローラー１０２を介して開閉駆動カム１００によって動作する。よって、簡易な形状の開閉駆動カム１００によって開閉タイミングと開閉量を高精度で設定できる。
【０２２８】
図２５は、機体の後方から見た植付具２８の先端部が移動する軌跡を説明する図である。
【０２２９】
植付具２８に備えるホルダー２９１を、左ホルダー２９１Ｌ及び右ホルダー２９１Ｒで構成し、左ホルダー２９１Ｌを左側部材１０９Ｌに一体で固着し、右ホルダー２９１Ｒを右側部材１０９Ｒに一体で固着している。左ホルダー２９１Ｌは前後方向の左支点軸２２５回りに回動し、右ホルダー２９１Ｒは前後方向の右支点軸２２６回りに回動する構成であり、植付具２８の左右方向中央位置に設けた連動用軸２２７により、左ホルダー２９１Ｌと右ホルダー２９１Ｒを連結している。又、左ホルダー２９１Ｌと一体で設けた回動操作アーム２２８に、上下方向に延びる開閉ロッド２３１を連結し、カウンターアーム１０４のピン１０５を開閉ロッド２３１に連結している。尚、左ホルダー２９１Ｌと右ホルダー２９１Ｒの間には開閉用スプリング２３０を設けており、該開閉用スプリング２３０のスプリング力により、左側部材１０９Ｌと右側部材１０９Ｒが互いに左右方向内側に押圧され、植付具２８の下部が閉じる構成となっている。又、開閉用スプリング２３０のスプリング力により、開閉用ローラー１０２ひいては開閉アーム１０１が開閉駆動カム１００側（上側）に押し付けられる。
【０２３０】
揺動カム駆動軸８８の回転と共に開閉駆動カム１００が回転すると、開閉用ローラー１０２が開閉駆動カム１００の周縁形状にしたがって移動し、開閉アーム１０１が揺動する。開閉アーム１０１の揺動に伴って、連結ロッド１０３が前後方向に作動し、カウンターアーム１０４が回動し、開閉ロッド２３１が上下方向に作動し、回動操作アーム２２８を介して左ホルダー２９１Ｌを回動するとともに連動用軸２２７を介して右ホルダー２９１Ｒを回動し、左ホルダー２９１Ｌと右ホルダー２９１Ｒを背反的に互いに左右対称位置へ回動させて植付具２８の下部を開閉する。具体的には、連結ロッド１０３の前側への作動に伴って、開閉ロッド２３１を上側へ作動し、植付具２８の下部を開く。尚、植付具２８の上昇時、開閉駆動カム１００の外周の局所的な突起部により、植付具２８の下部を一時的に大きく開く構成としている。
【０２３１】
図２３（ａ）及び図２３（ｂ）に示す位置では、開閉用ローラー１０２には開閉駆動カム１００が接触していないので、上死点及び上死点から下降する位置では、植付具２８の下部が閉じた状態が維持されている。
【０２３２】
図２３（ｃ）の下死点の位置において、開閉用ローラー１０２に開閉駆動カム１００が接触し始め、下死点から上昇する図２３（ｄ）の位置では、開閉用ローラー１０２に開閉駆動カム１００が接触し続ける状態となる。
【０２３３】
したがって、植付具２８は、下降して下死点に至るまでは、下部が閉じた状態が維持され、下死点の位置で下部が開き始め、下死点からは下部が開いた状態のまま上昇し始める。すなわち、軌跡１７の上死点付近から下降する行程では、植付具２８の下部が閉じた状態となり、下死点で植付具２８の下部が開き、下死点から上昇する行程では植付具２８の下部が開いた状態となる。
【０２３４】
この通り、上アーム８２が連結されている回動上軸９５に軸支したカウンターアーム１０４が、上アーム８２及び左下アーム８３の昇降位置によることなく、連結ロッド１０３を介して開閉アーム１０１と並行動作し、この開閉アーム１０１は、開閉用ローラー１０２を介して開閉駆動カム１００によって動作制御される。したがって、簡易な形状の開閉駆動カム１００によって開閉タイミングと開閉量の高精度の制御が可能となる。
【０２３５】
尚、開閉駆動カム１００を、クランクアーム８５を駆動するクランクアーム駆動軸８９に固定し、クランクアーム８５と一体に回転する構成としてもよい。
【０２３６】
又、本実施の形態では、上アーム８２の連結支点軸である上軸９２に開閉アーム１０１を取り付けているので、簡単な構成となっている。尚、連結ロッド１０３が、昇降リンク機構２９の昇降位置に拘らず、上アーム８２及び左下アーム８３と平行であるので、開閉駆動カム１００により植付具２８の開き量を高精度で設定できる。又、開閉アーム１０１及びカウンターアーム１０４を何れも上アーム８２の回動支点軸に連結した構成としているので、連結ロッド１０３が上アーム８２に沿って配置され、コンパクトな構成となっている。又、開閉駆動カム１００を、揺動駆動カム８４とともに前揺動アーム８０の回動支点軸である揺動カム駆動軸８８に取り付けているので、簡単な構造となっている。
【０２３７】
又、連結ロッド１０３の、カウンターアーム１０４との連結部分にターンバックル等の調節ネジを設けて、その調節ネジにより、開閉アーム１０１とカウンターアーム１０４間の連結ロッド１０３の長さを調節できる構成としてもよい。この位置に調節ネジを設けることにより、植付具２８の後方から、植付具２８の開き量を調節することができる。
【０２３８】
図２２に示す通り、本実施の形態の植付装置１９では、植付具２８側の開閉用出力アーム（カウンターアーム１０４）の回動半径Ｌ１を、植付装置駆動ケース２７側の開閉用入力アーム（開閉アーム１０１）の回動半径Ｌ２よりも小さくしている。
【０２３９】
カウンターアーム１０４の回動半径Ｌ１を開閉アーム１０１の回動半径Ｌ２よりも小さくしたことで、開閉アーム１０１の上軸９２回りの回動角度よりも大きな回動角度で、カウンターアーム１０４が回動上軸９５回りに回動する。
【０２４０】
したがって、従来よりも小さな開閉アーム１０１の回動角度で、植付具２８を開閉させることができる。
【０２４１】
又、植付具２８を開閉させる開閉アーム１０１の回動変位量を小さくできるので、開閉用ローラー１０２を移動させる開閉駆動カム１００の周囲形状を、半径の変化量が小さな形状にでき、開閉駆動カム１００を小型にすることができる。
【０２４２】
又、カウンターアーム１０４を短くできるので、苗ガイド１０８を低くして、供給回転台３２の位置を低くすることができる。又、昇降リンク機構２９のストロークを長くして植付具２８の上下動の幅を大きくすることができる。
【０２４３】
植付具２８は、下部が左側部材１０９Ｌ及び右側部材１０９Ｒで構成されており、植付具２８が下降した際に、左側部材１０９Ｌ及び右側部材１０９Ｒの各先端部が離間して開き、苗株を植え付ける。
【０２４４】
図２５では、左側部材１０９Ｌの先端部の軌跡を破線で示し、右側部材１０９Ｒの先端部の軌跡を二点差線で示している。
【０２４５】
左側部材１０９Ｌ及び右側部材１０９Ｒは、植付具２８の下死点付近で開いて苗株を植え付け、その後、開いたまま上昇し、供給回転台３２から苗株が供給される前に閉じて、次の苗株が植付具２８内に供給される。
【０２４６】
植付装置１９は、開閉駆動カム１００の周囲形状を変化させることにより、植付具２８の開閉タイミング及び開閉速度を自由に調節することができる。
【０２４７】
左側部材１０９Ｌ及び右側部材１０９Ｒが開く際、それらの先端部には、左右方向への速度成分とともに上向きの速度成分が生じる。一方、植付具２８全体には、昇降リンク機構２９によって、下死点に至るまでは下向きの速度成分が生じている。
【０２４８】
本実施の形態では、植付具２８が開く際に、左側部材１０９Ｌ及び右側部材１０９Ｒの各先端部分に生じる上向きの速度成分と、植付具２８の開閉の動きをしない部分、例えば回動上軸９５や回動下軸９６の取り付け部分における下向きの速度成分が等しく為るべく、すなわちそれらの速度成分が相殺されるべく、開閉駆動カム１００の形状及び揺動カム駆動軸８８への取り付け角度を設定している。
【０２４９】
植付具２８が開く際には、左側部材１０９Ｌ及び右側部材１０９Ｒの各先端部分における上下方向の速度成分はゼロとなるので、左側部材１０９Ｌ及び右側部材１０９Ｒの各先端部分は、圃場面を基準として水平に移動することになる。
【０２５０】
したがって、左側部材１０９Ｌ及び右側部材１０９Ｒの各先端部分が開くことによって圃場面に平らな穴が形成され、苗株をきれいに植えつけることができる。
【０２５１】
図２６は、機体の後方から見た植付具２８の右側部材１０９Ｒの先端部の軌跡を示したグラフである。
【０２５２】
図２６において、植付具２８の開き量を最大にしたときの右側部材１０９Ｒの先端部の軌跡を実線で示し、開き量を最小にしたときの右側部材１０９Ｒの先端部の軌跡を破線で示している。
【０２５３】
図示していない左側部材１０９Ｌの先端部は、右側部材１０９Ｒの先端部と左右対称の軌跡を描く構成で移動する。
【０２５４】
図２６に示す通り、植付具２８が開く際には、右側部材１０９Ｒの先端部は上下方向の位置変化がほとんど無く移動するので、右側部材１０９Ｒの先端部及び左側部材１０９Ｌの先端部によって、圃場にほぼ平らな穴が形成される。
【０２５５】
尚、植付具２８が下降していき、左側部材１０９Ｌ及び右側部材１０９Ｒの各先端部分が圃場面に接触した以降は、植付具２８の下方への移動により圃場からの抵抗を受け、左側部材１０９Ｌ及び右側部材１０９Ｒが開く向きへの移動が助勢される。この圃場から受ける助勢力を考慮して、左側部材１０９Ｌ及び右側部材１０９Ｒの各先端部分における上下方向の速度成分が理論的にゼロとなるタイミングよりも遅いタイミング及び速度で植付具２８を開く構成とすることにより、実際に圃場に平らな穴を形成することができる。
【０２５６】
つまり、圃場から受ける助勢力を考慮して、植付具２８の先端部分が圃場に突入する際に、植付具２８が開く際の左側部材１０９Ｌ及び右側部材１０９Ｒの各先端部分の上向きに生じる速度成分を、植付具２８の開閉の動作をしない部分の下向きの速度成分よりも小さく設定することで、実際に圃場に平らな穴を形成することができる。
【０２５７】
植付具２８が開きながら左側部材１０９Ｌ及び右側部材１０９Ｒの各先端部分が圃場へ押し込まれるので、植付具２８内から苗株が放れやすい。
【０２５８】
図２７は、植付動作時の、本実施の形態の植付具２８の、上下動速度、前後動速度、及び上下動速度と前後動速度を合成した絶対速度を示したグラフである。
【０２５９】
図２７では、植付具２８の、上下動速度を破線で示し、前後動速度を一点鎖線で示し、それらを合成した絶対速度を実線で示している。
【０２６０】
図２７より、植付具２８の絶対速度は、下死点では速いが、上死点では非常に遅くなっていることがわかる。つまり、植付具２８は、下死点付近では、比較的早く移動しているが、上死点では、ゆっくりと移動しており停止に近い状態になっている。
【０２６１】
つまり、供給カップ３３から苗株が供給される上死点付近では、植付具２８の速度が非常に遅くなっているので、供給カップ３３から確実に苗株を供給させることができる。
【０２６２】
尚、上死点付近では、前後方向の前後動速度が１０ｍｍ／ｓ以下になる時間が０．２１秒あり、供給カップ３３から確実に苗株を供給できる時間であることを確認できた。これにより、従来の間欠植付機構が不要にできる。
【０２６３】
図２８（ａ）〜図２８（ｃ）は、植付動作時における、本実施の形態の植付具２８の、たばこ苗移植機１０が停止しているときの静軌跡、及びたばこ苗移植機１０が走行しているときの動軌跡を示している。それぞれ、静軌跡を一点差線で示し、動軌跡を実線で示している。
【０２６４】
図２８（ａ）〜図２８（ｃ）に示す動軌跡は、たばこ苗移植機１０の走行速度を変えて株間を変えたものであり、それぞれ、株間を４０ｃｍ、５０ｃｍ及び６０ｃｍとしたときを示している。
【０２６５】
図２８（ａ）〜図２８（ｃ）より、動軌跡は、株間５０ｃｍで、下死点から７５ｍｍでの軌跡のラップ代は４．９ｍｍであり、又、株間４０ｃｍ及び６０ｃｍでは、１９．１ｍｍ及び２０．２ｍｍであり、問題なく植え付け可能であることを確認できた。
【０２６６】
又、上死点では、Ｘ方向変位が１０ｍｍ以下になる時間が０．２１秒であり、供給カップ３３から確実に苗株を供給できる停止時間であることを確認できた。
【０２６７】
よって、植付具２８の上死点での移動速度を小さく（停止時間を大きく）できるので、植付具２８への伝動比を変更するだけで種々の株間で適正な動軌跡により植え付けることができる。
【０２６８】
以上により、このたばこ苗移植機１０は、エンジン１１から主伝動ケース１２を介して走行推進体へ伝動するとともに、該主伝動ケース１２から植付伝動ケース２６を介して植付装置１９へ伝動する構成とし、該植付伝動ケース２６を、該主伝動ケース１２の後側に配置すると共に、前側上面に凹部２２３を形成して構成し、該エンジン１１及び該主伝動ケース１２の上方を覆う機体カバー２２４の後部２２４ａを、該凹部２２３に突入させている。
【０２６９】
よって、機体カバー２２４の後部２２４ａを植付伝動ケース２６の凹部２２３に突入させて後寄りに位置させることができるので、機体の前後長を短縮して機体をコンパクトに構成できると共に、機体カバー２２４により植付伝動ケース２６の前下部を含めて機体の構造物を有効に覆うことができ、降雨等から機体の構造物を的確に遮ることができて、機体の耐久性が向上する。
【０２７０】
又、植付装置１９を、植付具２８と、該植付具２８を昇降させる昇降リンク機構２９で構成し、昇降リンク機構２９を植付伝動ケース２６の左右一方側に配置し、機体カバー２２４には、植付伝動ケース２６の前記左右一方側で植付伝動ケース２６の凹部２２３よりも後側に延ばした延長部２２４ｂを形成し、該延長部２２４ｂを昇降リンク機構２９の上方に配置している。
【０２７１】
よって、機体カバー２２４の延長部２２４ｂにより、昇降リンク機構２９を含めて機体の構造物を有効に覆うことができ、降雨等から昇降リンク機構２９を含む機体の構造物を的確に遮ることができて、機体の耐久性が向上する。又、作動する昇降リンク機構２９に作業者が触れることを防止でき、安全性が向上する。
【０２７２】
又、植付伝動ケース２６内には、左右方向の第一軸１９５と、該第一軸１９５から伝動される左右方向の第二軸２００と、該第二軸２００から伝動される左右方向の第三軸２０３と、該第三軸２０３から伝動される左右方向の第四軸８８を設け、第一軸１９５よりも第二軸２００を後側且つ上側に配置し、第二軸２００の後方に第三軸２０３を配置し、第三軸２０３の上方に第四軸８８を配置し、第二軸２００と第四軸８８の間で第三軸２０３の斜め前上側に、凹部２２３を形成している。
【０２７３】
よって、植付装置１９への伝動に適させるべく高位に第四軸８８を配置しながら、植付伝動ケース２６の前下部を機体カバー２２４の直下に位置させることができて、植付伝動ケース２６の凹部２２３を機体カバー２２４の位置に合わせて合理的に形成でき、機体カバー２２４により植付伝動ケース２６の前下部を含めて機体の構造物を有効に覆うことができる。
【０２７４】
又、第一軸１９５から第一無端体１９８を介して第二軸２００へ伝動し、第二軸２００から互いに噛み合う駆動側ギヤ２０１及び従動側ギヤ２０２を介して第三軸２０３へ伝動し、第三軸２０３から第二無端体２１０を介して第四軸８８へ伝動する構成とし、歯数を異ならせて駆動側ギヤ２０１を複数設け、複数の駆動側ギヤ２０１のうち伝動する駆動側ギヤ２０１を選択する選択機構を、第三軸２０３から後側に配置し、植付装置１９への伝動を入切する植付クラッチ２１２を第四軸８８上に設け、植付クラッチ２１２を操作する植付クラッチ操作機構２１６を、第四軸８８から後側に配置している。
【０２７５】
よって、選択機構２０５を、第三軸２０３から後側に配置するとともに、植付クラッチ操作機構２１６を第四軸８８から後側に配置したので、選択機構２０５及び植付クラッチ操作機構２１６が機体カバー２２４よりも後側に離れて配置され、選択機構２０５及び植付クラッチ操作機構２１６を機体カバー２２４が邪魔にならずに配置でき、選択機構２０５及び植付クラッチ操作機構２１６のメンテナンスも容易になる。
【０２７６】
又、植付装置１９へ移植対象物を一個ずつ供給する苗供給部３１を設け、第四軸８８の植付クラッチ２１２及び第二無端体２１０よりも左右一方側から植付装置１９へ伝動し、第四軸８８の植付クラッチ２１２及び第二無端体２１０よりも左右他方側から苗供給部３１へ伝動する構成としている。
【０２７７】
よって、植付装置１９と苗供給部３１への伝動機構を、第四軸８８上で植付クラッチ２１２及び第二無端体２１０の左右に振り分けて配置でき、伝動機構を合理的且つコンパクトに配置することができ、伝動機構の簡素化及び機体のコンパクト化を図ることができる。
【０２７８】
次に、本実施の形態のたばこ苗移植機１０における、圃場面を基準として機体の高さを一定に制御する機構の構成及び動作について説明する。
【０２７９】
図２９に、たばこ苗移植機１０の機体の高さを制御する連繋機構部分の側面図を示す。たばこ苗移植機１０は、畝Ｕ上面の高さをそれぞれ独立して検出する左側接地位置検出体３６及び右側接地位置検出体３７を備えているが、図２９は、左側接地位置検出体３６の図示を省略して、たばこ苗移植機１０の左側方から右側接地位置検出体３７を見た側面図を示している。
【０２８０】
又、図３０（ａ）に、天秤連結ステー５１の側面図を示し、図３０（ｂ）に天秤連結ステー５１の平面図を示す。図３１（ａ）に、天秤５０の正面図を示し、図３１（ｂ）に天秤５０の平面図を示す。図３２（ａ）に、油圧ロッド５５の側面図を示し、図３２（ｂ）に、油圧ロッド５５の平面図を示す。図３３（ａ）に、右側接地位置検出体３７の側面図を示し、図３３（ｂ）に、左側接地位置検出体３６の側面図を示す。
【０２８１】
又、図３４に、機体高さ制御の連繋機構の各部の接続関係の説明に使用する平面図を示す。
【０２８２】
図３０（ｂ）に示す通り、天秤連結ステー５１は、直角に折り曲げ加工された円柱状の連結ステー丸軸部６１の途中に、連結ステー丸軸部６１の軸方向を基準として垂直な面と為るべく、板状の連結ステー板部６０の一端部分に連結ステー丸軸部６１が貫通されて溶接により固着されている。そして、連結ステー丸軸部６１の折り曲げられた側の軸部と連結ステー板部６０は、図３０（ａ）に示す通り、側面視でＶ字形状と為るべく構成されている。又、連結ステー板部６０のもう一方の端部に筒状の油圧ロッド連結部６２が立設している。
【０２８３】
連結ステー丸軸部６１の連結ステー板部６０が固着された側の軸部分は、その軸方向が機体の左右方向と為るべく、図２９に示す右側接地体支持バー５９の先端部分に回動自在に軸支され、又、その軸部分は、右側接地位置検出体３７の回動軸となる。
【０２８４】
図３１（ａ）及び図３１（ｂ）に示す通り、天秤５０は、長い円柱状の天秤ロッド部６３と、短い円筒状の天秤ボス部６４で構成される。天秤ロッド部６３の長手方向の中央部分に、天秤ロッド部６３の長手方向を基準として天秤ボス部６４の円筒形状の高さ方向が直角の向きとなる構成で、天秤ロッド部６３の外周面が溶接して固着されている。
【０２８５】
右側接地位置検出体３７には、図３３（ａ）及び図３４に示す通り、圃場面に接する湾曲した右側接地板７０の、圃場面に接する面とは反対側の面の前方右側に右側天秤連結板７１及び右側回動軸支板７２が立設している。
【０２８６】
右側天秤連結板７１及び右側回動軸支板７２には、右側回動軸孔１７４が形成されており、これらの２つの右側回動軸孔１７４に、天秤連結ステー５１の連結ステー丸軸部６１が通されて、連結ステー丸軸部６１を中心に、右側接地板７０が上下に回動する。
【０２８７】
又、右側天秤連結板７１の上部には、天秤５０の天秤ロッド部６３の一端部分が係り合う右側長溝孔１７３が形成されている。
【０２８８】
左側接地位置検出体３６には、図３３（ｂ）及び図３４に示す通り、圃場面に接する湾曲した左側接地板６５の、圃場面に接する面とは反対側の面の前方右側に左側天秤連結板６６及び左側回動軸支板６７が立設している。
【０２８９】
左側天秤連結板６６及び左側回動軸支板６７には、左側回動軸孔１６９が形成されている。左側接地体支持バー５４の先端部分に固定された、機体の左右方向に延びる接地体回動軸５２が、これらの２つの左側回動軸孔１６９に通されて、接地体回動軸５２を中心に、左側接地板６５が上下に回動する。
【０２９０】
又、左側天秤連結板６６の上部には、天秤５０の天秤ロッド部６３の他端部分が係り合う左側長溝孔１６８が形成されている。
【０２９１】
図３２（ａ）及び図３２（ｂ）に示す通り、油圧ロッド５５の一端には、油圧ロッド５５の長手方向と直角の向きに連結ステー接続軸７５が設けられており、他端には、回動ステー５６と連結する回動ステー連結孔７６が形成されている。
【０２９２】
図３４に示す通り、連結ステー接続軸７５が油圧ロッド連結部６２の筒状内に挿入されることにより、油圧ロッド５５が天秤連結ステー５１と回動可能に連結される。
【０２９３】
尚、図３４では、天秤５０及び天秤５０に係り合う連結ステー丸軸部６１の軸部分の記載は省略している。
【０２９４】
連結ステー丸軸部６１の折れ曲がった軸部分、すなわち側面視で連結ステー板部６０とＶ字形状をなす軸部分に、天秤５０の天秤ボス部６４が挿入され、連結ステー丸軸部６１の軸方向に天秤５０が摺動可能となっている。又、天秤５０の天秤ロッド部６３の両端部が、左側接地位置検出体３６の左側長溝孔１６８及び右側接地位置検出体３７の右側長溝孔１７３に係り合い、それぞれの端部がそれらの長溝孔１６８、１７３内を移動可能となっている。
【０２９５】
機体の左右方向に延びる接地体回動軸５２が、左側接地体支持バー５４に固定されており、又、連結ステー丸軸部６１の回動軸となる軸部分が、接地体回動軸５２と同軸の位置に右側接地体支持バー５９に回動自在に軸支されているので、左右方向の同軸を中心として、左側接地位置検出体３６、右側接地位置検出体３７及び天秤連結ステー５１が回動する。
【０２９６】
尚、左側接地位置検出体３６及び右側接地位置検出体３７が、本発明の左右の接地体の一例にあたる。又、接地体回動軸５２及び連結ステー丸軸部６１が、それぞれ本発明の接地体回動軸の一例にあたる。又、天秤連結ステー５１が、本発明の連動アームの一例にあたる。
【０２９７】
回動ステー５６は、主フレーム２２に設けられた回動ステー軸５８を中心に自在に回動する構成で取り付けられている。油圧ロッド５５は、一端に設けられた連結ステー接続軸７５が天秤連結ステー５１の油圧ロッド連結部６２に連結し、他端に形成された回動ステー連結孔７６によって回動ステー５６の一端に連結している。
【０２９８】
さらに、回動ステー５６の他端が連結ロッド５７に連結し、連結ロッド５７の他端が、油圧切替バルブ部２４に連結している。
【０２９９】
連結ロッド５７の上下動に対応して、油圧切替バルブ部２４に備えられた昇降制御用切替バルブを介して油圧昇降シリンダ２３が作動し、左右後輪１４が昇降する。
【０３００】
尚、油圧ロッド５５、回動ステー５６及び連結ロッド５７が、本発明の中間連結部の一例にあたる。
【０３０１】
次に、この通りに構成された機体の高さを一定に制御する機構の動作について説明する。
【０３０２】
苗株の植え付け作業の際に、畝Ｕ上面が機体に近づくと、畝Ｕ上面に沿って左側接地板６５及び右側接地板７０が押し上げられ、畝Ｕ上面が機体から遠ざかると、畝Ｕ上面に沿って左側接地板６５及び右側接地板７０が下がる。
【０３０３】
ここでは、畝Ｕ上面が機体に近づいて、左側接地板６５及び右側接地板７０が押し上げられたときの動作について説明する。
【０３０４】
図２９において、左側接地板６５及び右側接地板７０が押し上げられると、左側接地位置検出体３６及び右側接地位置検出体３７は、左右方向に同軸の接地体回動軸５２及び連結ステー丸軸部６１を中心として反時計方向に回動する。
【０３０５】
左側接地位置検出体３６及び右側接地位置検出体３７が反時計方向に回動すると、両端が左側長溝孔１６８及び右側長溝孔１７３に係り合っている天秤ロッド部６３に機体前方への力が加わり、天秤５０に機体前方への力が加わることにより、天秤ボス部６４に貫通している連結ステー丸軸部６１に機体前方への力が加わり、天秤連結ステー５１が、左右方向に配置された連結ステー丸軸部６１を中心として反時計方向に回動する。
【０３０６】
天秤連結ステー５１が反時計方向に回動すると、油圧ロッド５５を機体前方に移動する力が加わり、油圧ロッド５５の他端に連結された回動ステー５６が、回動ステー軸５８を中心として時計方向に回動する。回動ステー５６が時計方向に回動すると、回動ステー５６の他端に連結された連結ロッド５７が上方に移動する。
【０３０７】
連結ロッド５７が上方に移動すると、連結ロッド５７の他端に連結した油圧切替バルブ部２４が、昇降制御用切替バルブを介して油圧昇降シリンダ２３を作動させ、左右後輪１４が下降する。
【０３０８】
左右後輪１４が下降することにより、畝Ｕ上面を基準として機体が上昇し、機体と畝Ｕ上面との距離を一定に保つことができる。
【０３０９】
苗株の植え付け作業の際に、畝Ｕ上面が機体から遠ざかったときには、畝Ｕ上面に沿って左側接地板６５及び右側接地板７０が下がって、図２９において左側接地位置検出体３６及び右側接地位置検出体３７が時計方向に回動し、畝Ｕ上面が機体に近づく上記の動作のときとは逆に動作する。つまり、このときは、連結ロッド５７が下方に移動し、油圧切替バルブ部２４が、昇降制御用切替バルブを介して油圧昇降シリンダ２３を作動させ、左右後輪１４を上昇させる。すなわち、このときには、畝Ｕ上面を基準として機体が下降して、機体と畝Ｕ上面との距離が一定に保たれる。
【０３１０】
この通りに制御することにより、機体を基準として畝Ｕ上面が近づいたり遠ざかったりしたときでも、機体と畝Ｕ上面との距離が一定に保たれるので、苗株の植え付けが深過ぎたり浅過ぎたりしない構成にできる。
【０３１１】
尚、左側接地体支持バー５４及び右側接地体支持バー５９は、機体に固定され左右方向に配置されたフレーム支持軸７３に取り付けられており、植付深さロッド５３と一体となってフレーム支持軸７３を中心に回動可能になっている。植付深さロッド５３を前後に回動させることにより、左側接地体支持バー５４及び右側接地体支持バー５９も一体となって回動し、左側接地体支持バー５４及び右側接地体支持バー５９の先端部の上下位置を変更できる。そして、左側接地体支持バー５４及び右側接地体支持バー５９の回動位置に対応して、左側接地体支持バー５４及び右側接地体支持バー５９の先端部に固定された接地体回動軸５２及び軸支された連結ステー丸軸部６１の上下位置が変化する。
【０３１２】
尚、植付深さロッド５３が、本発明の植付深さ調節アームの一例にあたる。又、フレーム支持軸７３が、本発明の、上動ストッパーを兼用している、深さ調節アームの回動中心となる軸の一例にあたる。
【０３１３】
したがって、植付深さロッド５３の回動位置を前後に調節することにより、左側接地位置検出体３６及び右側接地位置検出体３７の回動中心軸の上下位置を変更できるので、植え付け対象物の植え付け深さに対応して、機体と畝Ｕ上面との間の一定とする距離を調節することができる。
【０３１４】
又、図２９及び図３３（ａ）に示す通り、右側天秤連結板７１の後方上部には、３つの荷重規定孔７４が縦に並んで形成されており、後端がフレーム支持軸７３に固定された右側引張スプリング６９の前端が、いずれかの荷重規定孔７４に係止されている。
【０３１５】
右側引張スプリング６９により、図２９において右側接地位置検出体３７を時計回りに回動する付勢力が加わる。右側引張スプリング６９の前端を係止する荷重規定孔７４の位置を変更することにより、右側接地位置検出体３７に加わる付勢力が変化する。つまり、右側引張スプリング６９の前端を係止する荷重規定孔７４の位置に対応して、右側接地位置検出体３７の圃場への接地荷重を調節することができる。そして、右側接地位置検出体３７の接地荷重の調節に対応して、昇降制御の制御感度が変化する。
【０３１６】
左側接地位置検出体３６についても同様に、左側天秤連結板６６の後方上部に、３つの荷重規定孔７４が縦に並んで形成されており、後端がフレーム支持軸７３に固定された左側引張スプリング６８の前端が、いずれかの荷重規定孔７４に係止されており、左側接地位置検出体３６の圃場への接地荷重を調節できる構成となっている。
【０３１７】
次に、圃場が荒れて土塊がある等で、左側接地位置検出体３６及び右側接地位置検出体３７の一方のみが、機体から畝Ｕ上面までの距離の変化を検知したときの動作について説明する。
【０３１８】
ここでは、その一例として、左側接地板６５側の機体に対する畝Ｕ上面の位置は変化せず、右側接地板７０側の畝Ｕ上に土塊があったときの動作について説明する。
【０３１９】
右側接地板７０が接している畝Ｕの右側に土塊があると、その土塊に沿って右側接地板７０が押し上げられ、図２９において、右側接地位置検出体３７のみが、左右方向に配置された連結ステー丸軸部６１を中心として反時計方向に回動する。
【０３２０】
右側接地位置検出体３７が反時計方向に回動すると、右側接地位置検出体３７の右側長溝孔１７３に係り合っている天秤ロッド部６３の一端部分に機体前方への力が加わり、天秤５０に機体前方への力が加わる。このとき、左側接地位置検出体３６は回動しないので、左側接地位置検出体３６の左側長溝孔１６８に係り合っている天秤ロッド部６３の他端側には前方へ移動させる力が加わらない。天秤５０の天秤ボス部６４は、天秤ロッド部６３の両端の中央位置に固着されているので、天秤ボス部６４は、天秤ロッド部６３の右側の一端部分の移動距離の半分の距離を移動する。
【０３２１】
したがって、天秤ボス部６４に貫通している連結ステー丸軸部６１には、天秤ロッド部６３の右側の一端部分の移動距離の半分の距離に対応した機体前方への力が加わる。そして、その機体前方への力に対応して、天秤連結ステー５１が、左右方向に配置された連結ステー丸軸部６１を中心として反時計方向に回動する。
【０３２２】
天秤連結ステー５１が反時計方向に回動すると、油圧ロッド５５を機体前方に移動する力が加わり、油圧ロッド５５の他端に連結された回動ステー５６が、回動ステー軸５８を中心として時計方向に回動する。回動ステー５６が時計方向に回動すると、回動ステー５６の他端に連結された連結ロッド５７が上方に移動する。このときの連結ロッド５７の上方への移動量は、天秤ロッド部６３の右側の一端部分の移動距離の半分の距離に対応した移動量となる。
【０３２３】
連結ロッド５７の上方への移動量に対応して、連結ロッド５７の他端に連結した油圧切替バルブ部２４が、昇降制御用切替バルブを介して油圧昇降シリンダ２３を作動させ、左右後輪１４を下降させることにより、畝Ｕ上面を基準として機体が上昇する。
【０３２４】
このとき、畝Ｕ上面を基準として機体が上昇する移動量は、左側接地位置検出体３６で検知された上下方向の畝Ｕに近づいた変化量の半分となる。
【０３２５】
この通り、本実施の形態の機体の高さを一定に制御する連繋機構では、左側接地位置検出体３６及び右側接地位置検出体３７のそれぞれで検出された上下動の変化量を平均化した変化量分に対応して、機体が昇降するべく制御される。左右に配置した２つの左側接地位置検出体３６及び右側接地位置検出体３７による検出を平均化して圃場面を検出するので、畝Ｕ上に土塊があっても機体が大きく上下に変動することなく安定した昇降制御が行え、昇降制御の適正化が図れる。
【０３２６】
又、本実施の形態の機体の高さを一定に制御する連繋機構は、図２９に示す通り、天秤５０を、左側接地位置検出体３６及び左側接地位置検出体３７と、それらの接地体回動軸５２、６１よりも上の位置の左側長溝孔１６８及び右側長溝孔１７３で連結し、天秤５０の位置が、左側接地位置検出体３６及び左側接地位置検出体３７の上下動の位置に対応して変化する構成としている。そして、両端が左側接地位置検出体３６及び左側接地位置検出体３７に連結する天秤ロッド部６３の中央位置にある天秤ボス部６４で天秤連結ステー５１の連結ステー丸軸部６１に連結し、回動軸５２、６１よりも上の位置で、天秤連結ステー５１が油圧ロッド５５に連結する構成としているので、連繋機構全体として小型の構成となっている。
【０３２７】
又、図２９に示す通り、側面視において、左側接地位置検出体３６及び左側接地位置検出体３７に連結する天秤連結ステー５１の位置は、油圧ロッド５５に連結するＶ字形状の一端である油圧ロッド連結部６２と、天秤ボス部６４に連結する連結ステー丸軸部６１の軸部分との間に配置している。
【０３２８】
尚、本実施の形態では、振り子式の左右傾斜センサー４２を設けて、この左右傾斜センサー４２の検出により左右傾斜用油圧シリンダ２５を作動させ走行機体を左右水平に維持する構成における動作について説明したが、これに限らず例えば、左右傾斜センサー４２を備えずに、左右傾斜用油圧シリンダ２５を作業者自身が手動でコントロールするマニュアル式のローリング調節レバーを備える構成としてもよい。
【０３２９】
次に、図１に示したたばこ苗移植機１０の押さえ具上下動機構の詳細な構成及び動作について説明する。
【０３３０】
たばこ苗移植機１０は、圃場に敷かれているマルチフィルムが浮き上がらなくするべく押さえる押さえ具１１０を備えている。
【０３３１】
図３５に、本実施の形態の押さえ具上下動機構部分の側面図を示す。又、図３６（ａ）に、押さえ具１１０の平面図を示し、図３６（ｂ）に、押さえ具１１０と左右の接地位置検出体３６、３７との位置関係を説明する平面図を示す。図３５、図３６（ａ）及び図３６（ｂ）は、押さえ具上下動機構に関連する部分のみを示し、それ以外の部分の図示は省略している。図３５では、機体の側面側から見た位置関係をわかり易く説明するべく、植付深さロッド５３の部分を破線で示している。
【０３３２】
本実施の形態の押さえ具１１０は、植付具２８の上下動に同期して上下動する。押さえ具１１０は、植付具２８によって苗株を圃場に植え付ける際に下降して、苗株が植え付けられるときにマルチフィルムを畝側に押さえ付ける。
【０３３３】
押さえ具１１０は、２本の棒状の押さえ部材１１９と、それらの押さえ部材１１９の前端を共通に固定する押さえ具支持アーム１１１を備える。押さえ具支持アーム１１１は、リフトロッド連結部１１８で、押さえ具リフトロッド１１２の下端部に連結している。
【０３３４】
尚、押さえ具支持アーム１１１が、本発明の上下回動アームの一例にあたる。
【０３３５】
後端に２本の押さえ部材１１９が固定された押さえ具支持アーム１１１は、平面視で左側接地位置検出体３６と右側接地位置検出体３７の間に配置され、押さえ部材１１９が上下に可動するべく、前端が機体フレームに回動自在に取り付けられている。そして、棒状の押さえ具支持アーム１１１の後端に固定支持された２本の押さえ部材１１９は、左側接地位置検出体３６及び右側接地位置検出体３７の後方に配置されている。
【０３３６】
又、２本の押さえ部材１１９は、図３６（ｂ）に示す通り、平面視で植付具２８の左右に配置されており、それらの後端は、植付具２８側、すなわち内側に向いている。
【０３３７】
又、２本の押さえ部材１１９は、図３５に示す通り、それらの後端はＲ形状で上方を向いている。
【０３３８】
この構成により、押さえ部材１１９が圃場に敷かれたマルチフィルムを押さえる際に、押さえ部材１１９の先端がマルチフィルムに突き刺さることを防止でき、マルチフィルムを破りにくくできる。
【０３３９】
又、押さえ部材１１９を樹脂でコーティングすることにより、さらにマルチフィルムを破りにくくすることができる。
【０３４０】
押さえ具支持アーム１１１は、押さえ具支持アーム１１１の途中部分に設けられているリフトロッド連結部１１８で、上方に向けて設けた押さえ具リフトロッド１１２の基部が回動自在に連結されている。
【０３４１】
押さえ具リフトロッド１１２は、その上方に押さえ具リフトピン１２０が立設しており、押さえ具リフトピン１２０が、押さえ具リフトアーム１１３の先端部の上面部分に係り合っている。押さえ具リフトアーム１１３の他端は、植付装置駆動ケース２７の側面に突出した押さえ具リフトアーム支持軸１１４に回動自在に枢着されている。
【０３４２】
又、植付装置駆動ケース２７から左側に突出したクランクアーム駆動軸８９に固定されて回転する押さえ具駆動カム１１５を備えている。押さえ具リフトアーム１１３のアームの途中部分に回動自在に設けられている押さえ具回動ローラー１１６が押さえ具駆動カム１１５の周縁部に接触する構成で配置されており、押さえ具リフトピン１２０によって押さえ具リフトアーム１１３に係り合っている押さえ具リフトロッド１１２は、押さえ具回動ローラー１１６が押さえ具駆動カム１１５に接触する位置に対応して上方に引き上げられる。
【０３４３】
押さえ具駆動カム１１５は、図２０に示す通り、左下アーム８３と右下アーム９７の間に配置されている。押さえ具駆動カム１１５を、左下アーム８３と右下アーム９７の間に配置することで、押さえ具上下動機構の構成を小型にすることができる。
【０３４４】
植付装置駆動ケース２７に、押さえ具リフトロッド１１２を通す丸孔が設けられたストッパー１１７が固定されている。
【０３４５】
又、押さえ具リフトロッド１１２の上部には、押さえ部材１１９の最下位置を規定する下動ストッパーピン１２１が取り付けられている。下動ストッパーピン１２１がストッパー１１７の上面に接触することにより、その位置よりも押さえ具リフトロッド１１２が下降しなくするべく規制され、そのときの押さえ部材１１９の位置が、上下動する押さえ部材１１９の最下位置となる。これにより、押さえ部材１１９が下がり過ぎて圃場に敷かれたマルチフィルムを破ってしまうことを防止することができる。
【０３４６】
押さえ具リフトロッド１１２の、下動ストッパーピン１２１を取り付ける位置を変更することにより、押さえ部材１１９の上下動の下限の位置を調節することができる。
【０３４７】
又、取り付け位置を変更できる下動ストッパーピン１２１をストッパー１１７の上面に設けたことにより、押さえ部材１１９の下限位置の調節の際に、無理な作業姿勢を強いられることなく、押さえ具リフトロッド１１２の上端側の高さ位置で容易に操作することができる。
【０３４８】
尚、押さえ具リフトロッド１１２及び下動ストッパーピン１２１を合わせた構成が、本発明の下限位置調節部材の一例にあたる。
【０３４９】
又、植付深さロッド５３によって、左側接地位置検出体３６及び右側接地位置検出体３７の回動中心軸である連結ステー丸軸部６１の上下位置を変更するが、図３５及び図３６（ｂ）に示す通り、押さえ具支持アーム１１１を、この植付深さロッド５３の回動支点であるフレーム支持軸７３の下側に配置している。
【０３５０】
押さえ部材１１９が、畝上の硬い土塊などに当たったときには、押さえ部材１１９が上方へ押し上げられる。その際、押さえ具支持アーム１１１が押し上げられるが、押さえ具支持アーム１１１がフレーム支持軸７３に接触することにより、押さえ具１１０の上方への移動が、その位置で規制される。したがって、押さえ具支持アーム１１１がフレーム支持軸７３に接触する位置が、押さえ部材１１９が移動できる上限の位置となり、押さえ部材１１９の上方への移動が規制される。すなわち、フレーム支持軸７３が、押さえ部材１１９の上方への移動を規制するストッパーの機能を兼ねている。
【０３５１】
押さえ部材１１９の上方への移動が規制されることにより、押さえ具１１０が極端に上方へ移動することを防止し、安定して圃場に敷かれたマルチフィルムを押さえることができる。
【０３５２】
次に、この通りに構成された押さえ具上下動機構の動作について説明する。
【０３５３】
クランクアーム駆動軸８９の回転とともに、押さえ具駆動カム１１５が回転し、押さえ具駆動カム１１５の周縁部の形状の変化に対応して、押さえ具リフトアーム１１３が押さえ具リフトアーム支持軸１１４を中心として回動する。
【０３５４】
押さえ具リフトアーム１１３の回動に伴い、押さえ具リフトアーム１１３の先端に係り合う押さえ具リフトロッド１１２が上下動する。そして、押さえ具リフトロッド１１２の上下動に対応して、押さえ具支持アーム１１１を介して押さえ部材１１９が上下動する。
【０３５５】
押さえ具駆動カム１１５は、植付具２８を昇降させる昇降リンク機構２９の上下動を制御するクランクアーム８５を駆動するクランクアーム駆動軸８９とともに回転するので、押さえ具１１０は、植付具２８の昇降動作に同期して上下動する。
【０３５６】
植付具２８の昇降動作に対する押さえ具１１０の上下動のタイミングは、押さえ具駆動カム１１５の周囲形状により自由に設定することができる。
【０３５７】
植付具２８が上昇位置にあるとき、すなわち苗株が供給カップ３３から植付具２８へ供給されるときは、押さえ具１１０も上方へ持ち上げる構成とし、植付具２８が下降して植え付け位置にあるときは、押さえ具１１０を圃場面に敷かれたマルチフィルムを押さえる位置まで下降する位置と為らせる。
【０３５８】
この通り、植付具２８を上下動させる駆動軸であるクランクアーム駆動軸８９によって押さえ具上下動機構を作動させる構成としたので、植付具２８と押さえ具１１０が同じ駆動軸で駆動されて両者に駆動タイミングの誤差が生じることが少なくなり、苗株を植え付ける適切なタイミングでマルチフィルムを畝側に押さえ付けることができる。
【０３５９】
尚、図３６（ａ）及び図３６（ｂ）に示す２本の押さえ部材１１９の押さえ具支持アーム１１３への取り付け角度を調節可能とし、植付具２８の開き量に対応して２本の押さえ部材１１９がなす角度を変更できる構成としてもよい。
【０３６０】
図３７は、本実施の形態におけるたばこ苗移植機１０の一変形例のローリング調節レバーの説明に使用する概略平面図である。
【０３６１】
又、図３８（ａ）は、ローリング調節レバー部分の概略平面図を示し、図３８（ｂ）は、左右傾斜用切替バルブ部分の概略平面図を示している。
【０３６２】
図３７に示すたばこ苗移植機１０では、ローリング調節レバー４７を、操縦ハンドル１６を持ったときに左手で容易に操作できる操縦ハンドル１６の部分に設けている。
【０３６３】
ローリング調節レバー４７と左右傾斜用切替バルブ４６は、傾斜用調節ケーブル４８を介して接続される。尚、図３７では、傾斜用調節ケーブル４８の図示を省略している。
【０３６４】
ローリング調節レバー４７は、手で操作するのに使用する操作レバー部１２７と、操作レバー部１２７の途中から直角方向に延びる構成で形成された調節アーム部１２８により構成される。操縦ハンドル１６に設けられたローリングレバー支軸１２６に、操作レバー部１２７の調節アーム部１２８に連結する部分が回動自在に軸支されている。
【０３６５】
操作レバー部１２７の手で操作する側とは反対側の端部は、一端が操縦ハンドル１６に固定された中立戻しスプリング１２５に接続されており、中立戻しスプリング１２５により引っ張られる構成となっている。操作レバー部１２７を手で操作した後、操作レバー部１２７から手を離すと、ローリング調節レバー４７は、中立戻しスプリング１２５の付勢力により、傾斜操作をしない中立の位置に戻る。
【０３６６】
調節アーム部１２８の先端には、傾斜用調節ケーブル４８の一端が連結されている。
【０３６７】
ローリングレバー支軸１２６を中心にして操作レバー部１２７を手で回動させることにより、調節アーム部１２８の先端も回動し、それに対応して、傾斜用調節ケーブル４８が長手方向に移動する。そして、その傾斜用調節ケーブル４８の長手方向の移動量が、傾斜用調節ケーブル４８の他端側へ伝達される。
【０３６８】
尚、ローリング調節レバー４７は、中立状態のときに、調節アーム部１２８に連結する傾斜用調節ケーブル４８の一端部分の向きが、操作レバー部１２７の長手方向の向きと平行になる構成で配置されている。この通りに配置することにより、傾斜用調節ケーブル４８のブレを抑制できる。又、調節アーム部１２８が操作レバー部１２７を基準として直角に配置されているので、この通りに配置することにより、ローリング調節レバー４７をコンパクトに収めることができる。
【０３６９】
傾斜用調節ケーブル４８の他端は、図３８（ｂ）に示す通り、左右傾斜用切替バルブ４６に一端が連結した傾斜バルブ連結バー１３０の他端に連結されている。
【０３７０】
傾斜用調節ケーブル４８の他端部分には、内部を傾斜用調節ケーブル４８が通る構成で配置されたローリング用押しスプリング１２９が設けられている。ローリング用押しスプリング１２９の一端は、機体に固定されたスプリング固定部１３１に固定されており、傾斜用調節ケーブル４８の傾斜バルブ連結バー１３０との連結部分を、スプリング固定部１３１を基準として常に引き離す方向に付勢している。
【０３７１】
次に、ローリング調節レバー４７の操作によるローリング動作について説明する。
【０３７２】
図３８（ａ）において、操作レバー部１２７を反時計方向に回動させると、調節アーム部１２８の先端も反時計方向に回動し、傾斜用調節ケーブル４８は、ローリング調節レバー４７側に引っ張られる。このときは、中立戻しスプリング１２５の付勢力及びローリング用押しスプリング１２９の各付勢力に抗して操作レバー部１２７が操作されることになる。
【０３７３】
傾斜用調節ケーブル４８がローリング調節レバー４７側へ引っ張られると、傾斜用調節ケーブル４８の他端は、図３８（ｂ）において紙面に向かって右側に移動する。傾斜バルブ連結バー１３０の、傾斜用調節ケーブル４８と連結している端部が右に移動するので、左右傾斜用切替バルブ４６は反時計方向に回動し、その左右傾斜用切替バルブ４６の回動に対応して左右傾斜用油圧シリンダ２５が作動し、例えば機体が右側に傾く。
【０３７４】
図３８（ａ）において、操作レバー部１２７を時計方向に回動させたときには、調節アーム部１２８の先端も時計方向に回動し、傾斜用調節ケーブル４８は、ローリング調節レバー４７側で緩む。このとき、中立戻しスプリング１２５の付勢力に抗して操作しているので中立戻しスプリング１２５による付勢力は作用しないが、ローリング用押しスプリング１２９の付勢力によって、ローリング調節レバー４７は、左右傾斜用切替バルブ４６側へ引っ張られる。
【０３７５】
傾斜用調節ケーブル４８が左右傾斜用切替バルブ４６側へ引っ張られると、傾斜用調節ケーブル４８の他端は、図３８（ｂ）において紙面に向かって左側に移動する。傾斜バルブ連結バー１３０の、傾斜用調節ケーブル４８と連結している端部が左に移動するので、左右傾斜用切替バルブ４６は時計方向に回動し、その左右傾斜用切替バルブ４６の回動に対応して左右傾斜用油圧シリンダ２５が作動し、例えば機体が左側に傾く。
【０３７６】
尚、本実施の形態では、中立戻しスプリング１２５として、ローリング用押しスプリング１２９よりも付勢力が強いものを使用している。
【０３７７】
これにより、左右傾斜用切替バルブ４６をスムーズに操作することができ、かつ、操作レバー部１２７から手を離したときに中立位置に素早く戻る。中立戻しスプリング１２５及びローリング用押しスプリング１２９として付勢力が同等のものを使用すると、左右傾斜用切替バルブ４６の操作にガタつきが生じ易くなってしまう。
【０３７８】
この通り、マニュアル式のローリング調節レバー４７を備えたことにより、走行機体を例えば、作業位置側である左側に傾斜させることができるので、可動予備苗台３５０Ｌ（３５０Ｒ）、固定予備苗台３００Ｌ（３００Ｒ）に載せられた苗株が常に作業者側に集まって来るので、作業者が、苗株を供給カップ３３に補給する作業がし易くなる。
【０３７９】
尚、上記では、助勢スプリングとして、傾斜用調節ケーブル４８を左右傾斜用切替バルブ４６へ引っ張るべくローリング用押しスプリング１２９を用いたが、傾斜用調節ケーブル４８と傾斜バルブ連結バー１３０との連結部分を前方から引っ張る引張スプリングを用いてもよい。
【０３８０】
又、本実施の形態のたばこ苗移植機１０に、接地スタンドを備えさせてもよい。
【０３８１】
図３９（ａ）は、跳ね上げ式の接地スタンド１４２を備えたときの、接地スタンド１４２の取り付け部分の側面図である。接地時の接地スタンド１４２を実線で示し、収納時の接地スタンド１４２を二点差線で示している。図３９（ｂ）は、接地スタンド１４２の取り付け部分の平面図である。
【０３８２】
図４０（ａ）は、接地スタンド１４２の機体の左から見た側面図を示し、図４０（ｂ）は、機体の前方から見た正面図を示す。
【０３８３】
接地スタンド１４２は、左スタンドバー１４７、右スタンドバー１４８、接地スタンドバー１４９及びスタンド被係止軸１４６により構成される。
【０３８４】
平行に配置された左スタンドバー１４７及び右スタンドバー１４８の端部に、左スタンドバー１４７及び右スタンドバー１４８を基準として直角の向きに接地スタンドバー１４９が固定されている。接地スタンドバー１４９は、図４０（ｂ）に示す通り、正面から見てＬ字型となる構成で、左スタンドバー１４７及び右スタンドバー１４８を基準として機体の左右中央側に偏位した位置に固定されている。
【０３８５】
これは、左スタンドバー１４７及び右スタンドバー１４８が支持される主フレーム２２が機体の右寄りに配置されているのに対応して、接地スタンドバー１４９を機体の左右の中央位置に配置する構成としているからである。すなわち、本実施の形態では、接地スタンドバー１４９は、左スタンドバー１４７及び右スタンドバー１４８の端部から機体の左側に延びる構成で配置されている。
【０３８６】
接地スタンド１４２は、機体後方の主フレーム２２の後ろ上がり部分に固定された２枚のスタンド支持プレート１４３に挟まれて支持される。
【０３８７】
スタンド支持プレート１４３には、スタンド支持軸１４５を支持する孔と、スタンド被係止軸１４６を係止する２つの切り欠き１４４が形成されており、スタンド支持軸１４５が２枚のスタンド支持プレート１４３を連結している。
【０３８８】
左スタンドバー１４７及び右スタンドバー１４８は、スタンド被係止軸１４６によって連結されており、スタンド支持軸１４５が貫通するスタンド支持用孔１５０が形成されている。スタンド支持用孔１５０は、長孔であり、スタンド支持軸１４５のスタンド支持用孔１５０内における位置はスタンド支持用孔１５０の長軸方向に相対的に移動可能であり、スタンド支持軸１４５とスタンド被係止軸１４６の間隔が変化できる構成となっている。
【０３８９】
スタンド支持軸１４５及びスタンド被係止軸１４６間は、スタンド係止スプリング１４０で連結されており、スタンド係止スプリング１４０は、スタンド被係止軸１４６をスタンド支持軸１４５側へ引き寄せるべく付勢している。
【０３９０】
スタンド支持軸１４５が２枚のスタンド支持プレート１４３に形成されたスタンド支持用孔１５０を貫通することにより、接地スタンド１４２は、スタンド支持プレート１４３によって回動自在に支持され、スタンド係止スプリング１４０の付勢力によってスタンド支持プレート１４３に設けられた２つの切り欠き１４４の位置でスタンド被係止軸１４６が係止されることにより、接地スタンド１４２は、接地位置及び収納位置で仮固定される。
【０３９１】
図３９（ａ）に示す通り、収納時には、接地スタンド１４２は、主フレーム２２の後ろ上がり部分に沿う姿勢で収納される。
【０３９２】
この構成としたことにより、接地スタンド１４２を接地位置と収納位置にワンタッチで切り替えることができる。又、跳ね上げ方向を後方としたことにより、かがむことなく接地スタンド１４２を操作できる。
【０３９３】
尚、ここでは、各スタンド支持プレート１４３に、２つの切り欠き１４４を設けて接地位置及び収納位置で仮固定されることとしたが、切り欠きを３つ以上設けて、接地スタンド１４２が３つ以上の所定の位置で仮固定される構成としてもよい。
【産業上の利用可能性】
【０３９４】
本発明に係る移植機は、畝に土塊が多いときでもマルチフィルムが破れ難く出来るので、苗株や種芋等の移植対象物を植え付ける植付装置を備えた移植機などに適用出来、産業上の利用可能性が高い。
【符号の説明】
【０３９５】
１  走行車体
１０  たばこ苗移植機
１１  エンジン
１２  主伝動ケース
１３  前輪
１４  後輪
１５  鎮圧輪
１６  操縦ハンドル
１７  軌跡
１８  ローリング軸
１９  植付装置
２０  走行チェーンケース
２１  後フレーム
２２  主フレーム
２３  油圧昇降シリンダ
２４  油圧切替バルブ部
２５  左右傾斜用油圧シリンダ
２６  植付伝動ケース
２６ａ  固定側係合凸爪
２７  植付装置駆動ケース
２８  植付具
２９  昇降リンク機構
３１  苗供給部
３２  供給回転台
３３  供給カップ
３４  開閉蓋
３５  供給カップ開閉ガイド
３６  左側接地位置検出体
３７  右側接地位置検出体
３８  回転台駆動ケース
３９  支柱
４０  走行エクステンションケース
４０ａ  上側アーム
４１  前輪支持フレーム
４２  左右傾斜センサー
４３  横杆
４４  左側後輪昇降ロッド
４５  右側後輪昇降ロッド
４６  左右傾斜用切替バルブ
４７  ローリング調節レバー
４８  傾斜用調節ケーブル
４９  植付深さレバー
５０  天秤
５１  天秤連結ステー
５２  接地体回動軸
５３  植付深さロッド
５４  左側接地体支持バー
５５  油圧ロッド
５６  回動ステー
５７  連結ロッド
５８  回転ステー軸
５９  右側接地体支持バー
６０  連結ステー板部
６１  連結ステー丸軸部
６２  油圧ロッド連結部
６３  天秤ロッド部
６４  天秤ボス部
６５  左側接地板
６６  左側天秤連結板
６７  左側回動軸支板
６８  左側引張スプリング
６９  右側引張スプリング
７０  右側接地板
７１  右側天秤連結板
７２  右側回動軸支板
７３  フレーム支持軸
７４  荷重規定孔
７５  連結ステー接続軸
７６  回動ステー連結孔
７７  回転力伝達部材
７８  回転駆動機構
７９  補助プレート
８０  前揺動アーム
８１  左後揺動アーム
８２  上アーム
８３  左下アーム
８４  揺動駆動カム
８５  クランクアーム
８６  連結アーム
８７  回動ローラー
８８  揺動カム駆動軸（第四軸）
８８ａ  キー
８９  クランクアーム駆動軸
９０  上後軸
９１  下前軸
９２  上軸
９３  下後軸
９４  連結支持板
９５  回動上軸
９６  回動下軸
９７  右下アーム
９８  左右連結棒
９９  右後揺動アーム
１００  開閉駆動カム
１０１  開閉アーム
１０２  開閉用ローラー
１０３  連結ロッド
１０４  カウンターアーム
１０５  ピン
１０６  回動連結軸
１０７  伝動チェーン（第三無端体）
１０８  苗ガイド
１０９Ｌ  左側部材
１０９Ｒ  右側部材
１１０  押さえ具
１１１  押さえ具支持アーム
１１２  押さえ具リフトロッド
１１３  押さえ具リフトアーム
１１４  押さえ具リフトアーム支持軸
１１５  押さえ具駆動カム
１１６  押さえ具回動ローラー
１１７  ストッパー
１１８  リフトロッド連結部
１１９  押さえ部材
１２０  押さえ具リフトピン
１２１  下動ストッパーピン
１２５  中立戻しスプリング
１２６  ローリングレバー支軸
１２７  操作レバー部
１２８  調節アーム部
１２９  ローリング用押しスプリング
１３０  傾斜バルブ連結バー
１３１  スプリング固定部
１３２  補助プレート支持板
１４０  スタンド係止スプリング
１４２  接地スタンド
１４３  スタンド支持プレート
１４４  切り欠き
１４５  スタンド支持軸
１４６  スタンド被係止軸
１４７  左スタンドバー
１４８  右スタンドバー
１４９  接地スタンドバー
１５０  スタンド支持用孔
１６０  畝案内機構
１６１  植付クラッチレバー
１６７  引張バネ
１６８  左側長溝孔
１６９  左側回動軸孔
１７３  右側長溝孔
１７４  右側回動軸孔
１９３  入力軸
１９４ａ、１９４ｂ  ベベルギヤ
１９５  第一軸
１９６  安全クラッチ
１９７  第一駆動スプロケット
１９８  第一無端体
１９９  第一従動スプロケット
２００  第二軸
２０１ａ、２０１ｂ、２０１ｃ  駆動側ギヤ
２０２  従動側ギヤ
２０３  第三軸
２０４  スプライン
２０５  選択機構
２０６  連係部
２０７  スライド軸
２０８  切替操作グリップ
２０９  第二駆動スプロケット
２１０  第二無端体
２１１  第二従動スプロケット
２１２  植付クラッチ
２１３  駆動側爪体
２１３ａ  係合爪
２１４  従動側爪体
２１４ａ  係合爪
２１４ａ−１  高係合爪
２１４ａ−２  低係合爪
２１４ｂ  キー溝
２１４ｃ  係合凸爪
２１４´  軸孔
２１５  操作カム
２１５ａ  傾斜面
２１５ｂ  接当面
２１５ｃ  円弧状の凸部
２１５ｄ  接当体案内斜面
２１５ｅ  側面
２１６  植付クラッチ操作機構
２１６ａ  操作ピン
２１７  植付クラッチスプリング
２１８  第三駆動スプロケット
２２０  第三従動スプロケット
２２１  板ばね
２２１ａ、２２１ｂ  ベベルギヤ
２２２  供給部用動力取出軸
２２３  凹部
２２４  機体カバー
２２４ａ  機体カバーの後部
２２４ｂ  延長部
２２５  左支点軸
２２６  右支点軸
２２７  連動用軸
２２８  回動操作アーム
２３０  開閉用スプリング
２３１  開閉ロッド
２５０  畝案内ローラー
２５１  畝案内ローラー回転軸
２５２  ローラー回転軸支持部材
２５３  傾斜調節ネジ
２５４  案内ローラー支持ロッド
２５５  傾斜調節孔
２５６  ローラー高さ調節ネジ
２５７  畝案内ローラー支持アーム
２５８  回動規制プレート部
２５９  スプリング係止孔
２６０  支持アーム回動軸
２６１  支持アーム付勢スプリング
２６２  畝案内機構摺動取付部
２６３  アーム支持ブラケット
２６４  回動規制部
２６５  畝案内機構固定ネジ
２６６  畝案内機構取付棒
２６７  取付棒右支持アーム
２６８  ローリングシャフト
２６９  前輪支持シャフト
２７０  車幅調節ネジ
２７１  前輪支持ロッド
２７２  取付棒左支持アーム
２７３  収納回動用孔
２７４  収納回動プレート部
２７５  収納回動ピン
２７６  支持ロッド固定ボス
２８０  操作レバー
２８０ａ  操作グリップ
２８１  Ｌ字型支持片
２８１ａ  貫通孔
２８２  副変速操作アーム
２８３  副変速操作レバー
２８４  株間変速アーム
２８４ａ  円弧状長孔
２８５  シフトロッド
２８５ａ  ピン
２８６  株間変速操作位置表示ラベル
２９１Ｌ  左ホルダー
２９１Ｒ  右ホルダー
３１３  前輪
３１７  前輪支持アーム
３１７ｂ  第１アウターアーム
３１７ｃ  第１インナーアーム
３１７ｄ  ピン
３１８  前輪支持ロッド
３３５  畝案内ローラー
３３６  畝案内ローラー支持アーム
３３６ａ  第２アウターアーム
３３６ｂ  第２インナーアーム
３３７  ローラー回転軸支持部材
３３８  セットボルト
３００Ｌ、３００Ｒ  左右一対の固定予備苗台
３０１  第１連結部材
３０２  第２連結部材
３０３  前部支持部材
３０４  後部支持部材
３１０Ｌ、３０１０Ｒ  左右一対の円筒状可動支持部材
３１１Ｌ、３１１Ｒ  左右一対のパイプ状部材
３５０Ｌ、３５０Ｒ  左右一対の可動予備苗台
４００Ｌ、４００Ｒ  左右一対の施肥機
４１０Ｌ、４１０Ｒ  左右一対の施肥ホッパー
４２０Ｌ、４２０Ｒ  左右一対の肥料繰り出し部
４３０Ｌ  前ホース
４３０Ｒ  後ホース
４３１  ホース保持部
【図１】
2014079182.tif 000003
【図２】
2014079182.tif 000004
【図３】
2014079182.tif 000005
【図４】
2014079182.tif 000006
【図５】
2014079182.tif 000007
【図６】
2014079182.tif 000008
【図７】
2014079182.tif 000009
【図８】
2014079182.tif 000010
【図９】
2014079182.tif 000011
【図１０】
2014079182.tif 000012
【図１１】
2014079182.tif 000013
【図１２】
2014079182.tif 000014
【図１３】
2014079182.tif 000015
【図１４】
2014079182.tif 000016
【図１５】
2014079182.tif 000017
【図１６】
2014079182.tif 000018
【図１７】
2014079182.tif 000019
【図１８】
2014079182.tif 000020
【図１９】
2014079182.tif 000021
【図２０】
2014079182.tif 000022
【図２１】
2014079182.tif 000023
【図２２】
2014079182.tif 000024
【図２３】
2014079182.tif 000025
【図２４】
2014079182.tif 000026
【図２５】
2014079182.tif 000027
【図２６】
2014079182.tif 000028
【図２７】
2014079182.tif 000029
【図２８】
2014079182.tif 000030
【図２９】
2014079182.tif 000031
【図３０】
2014079182.tif 000032
【図３１】
2014079182.tif 000033
【図３２】
2014079182.tif 000034
【図３３】
2014079182.tif 000035
【図３４】
2014079182.tif 000036
【図３５】
2014079182.tif 000037
【図３６】
2014079182.tif 000038
【図３７】
2014079182.tif 000039
【図３８】
2014079182.tif 000040
【図３９】
2014079182.tif 000041
【図４０】
2014079182.tif 000042
【図４１】
2014079182.tif 000043